(57)【要約】【課題】室内空気の除湿時、運転切り替えを減らすことができる空気調和機および空気調和機システムを提供する。【解決手段】空気調和機は、冷媒回路と、制御部（１００）と、室内空気の温度を検出する第１温度センサ（５２）と、室内空間を画定する躯体の温度を検出する第２温度センサ（５４）とを備える。制御部（１００）が冷媒回路を制御することにより、室内熱交換器の実質的に全部を蒸発域にする第１除湿運転と、室内熱交換器の一部を蒸発域にする第２除湿運転とが行われる。制御部（１００）は、室内空気の温度と躯体の温度とを用いて、第１除湿運転および第２除湿運転のうちの一つを選択する。【選択図】図２
2020159684.tif 000002
【特許請求の範囲】
【請求項１】
圧縮機（２１）と、室外熱交換器（２３）と、室内熱交換器（１１）と、上記室内熱交換器（１１）の蒸発域の大きさを調整する調整機構（１３，２４）とを有する冷媒回路（ＲＣ）と、
制御部（１００）と、
室内空気の温度を検出する第１温度センサ（５２）と、
室内空間を画定する躯体の温度を検出する第２温度センサ（５４）と
を備え、
上記制御部（１００）が上記冷媒回路を制御することにより、上記室内熱交換器（１１）の実質的に全部を蒸発域にする第１除湿運転と、上記室内熱交換器（１１）の一部を蒸発域にする第２除湿運転とが行われ、
上記制御部（１００）は、上記室内空気の温度と上記躯体の温度とを用いて、上記第１除湿運転および上記第２除湿運転のうちの一つを選択することを特徴とする空気調和機。
【請求項２】
請求項１に記載の空気調和機において、
上記制御部（１００）は、上記室内空気の温度と上記躯体の温度との差が、予め設定された第１閾値（α２）よりも大きく、かつ、上記室内空気の温度と設定温度との差が、予め設定された第２閾値（β１）よりも小さいとき、上記第１除湿運転を選択することを特徴とする空気調和機。
【請求項３】
請求項２に記載の空気調和機において、
上記制御部（１００）は、上記室内空気の温度と上記躯体の温度との差が上記第１閾値（α２）よりも大きく、かつ、上記室内空気の温度と上記設定温度との差が上記第２閾値（β１）以上になるとき、上記第１除湿運転を選択することを特徴とする空気調和機。
【請求項４】
請求項１から３までのいずれか一項に記載の空気調和機において、
上記調整機構（１３，２４）は、上記室外熱交換器（２３）と上記室内熱交換器（１１）との間の冷媒経路に設けられた膨張機構（２４）と、上記室内熱交換器（１１）の冷媒経路の途中に設けられた制御弁（１３）とを有し、
上記第２除湿運転は、
上記室内熱交換器（１１）の一部を蒸発域にする一方、上記室内熱交換器（１１）の残りの部分を過熱域にする第３除湿運転と、
上記室内熱交換器（１１）において上記制御弁（１３）よりも上流側の部分を凝縮域とする一方、上記室内熱交換器（１１）において上記制御弁（１３）よりも下流側の部分を蒸発域とする第４除湿運転と
を含むことを特徴とする空気調和機。
【請求項５】
請求項１から４までのいずれか一項に記載の空気調和機において、
上記躯体の温度は、室内の壁、床および天井のうちの少なくとも１つの温度を使って算出された平均温度であることを特徴とする空気調和機。
【請求項６】
圧縮機（２１）と、室外熱交換器（２３）と、室内熱交換器（１１）と、上記室内熱交換器（１１）の蒸発域の大きさを調整する調整機構（１３，２４）とを有する冷媒回路（ＲＣ）と、
制御部（１００）と、
室内空気の温度を検出する第１温度センサ（５２）と、
室内空間を画定する躯体の温度を検出する第２温度センサ（５４）と
を備え、
上記制御部（１００）が上記冷媒回路を制御することにより、上記室内熱交換器（１１）の実質的に全部を蒸発域にする第１除湿運転と、上記室内熱交換器（１１）の一部を蒸発域にする第２除湿運転とが行われ、
上記制御部（１００）は、上記室内空気の温度と上記躯体の温度とを用いて、上記第１除湿運転および上記第２除湿運転のうちの一つを選択することを特徴とする空気調和システム。
【請求項７】
請求項６に記載の空気調和システムにおいて、
上記制御部（１００）は、上記室内空気の温度と上記躯体の温度との差が、予め設定された第１閾値（α２）よりも大きく、かつ、上記室内空気の温度と設定温度との差が、予め設定された第２閾値（β１）よりも小さいとき、上記第１除湿運転を選択することを特徴とする空気調和システム。
【請求項８】
請求項７に記載の空気調和システムにおいて、
上記制御部（１００）は、上記室内空気の温度と上記躯体の温度との差が上記第１閾値（α２）よりも大きく、かつ、上記室内空気の温度と上記設定温度との差が上記第２閾値（β１）以上になるとき、上記第１除湿運転を選択することを特徴とする空気調和システム。
【請求項９】
請求項６から８までのいずれか一項に記載の空気調和システムにおいて、
上記調整機構（１３，２４）は、上記室外熱交換器（２３）と上記室内熱交換器（１１）との間の冷媒経路に設けられた膨張機構（２４）と、上記室内熱交換器（１１）の冷媒経路の途中に設けられた制御弁（１３）とを有し、
上記第２除湿運転は、
上記室内熱交換器（１１）の一部を蒸発域にする一方、上記室内熱交換器（１１）の残りの部分を過熱域にする第３除湿運転と、
上記室内熱交換器（１１）において上記制御弁（１３）よりも上流側の部分を凝縮域とする一方、上記室内熱交換器（１１）において上記制御弁（１３）よりも下流側の部分を蒸発域とする第４除湿運転と
を含むことを特徴とする空気調和システム。
【請求項１０】
請求項６から９までのいずれか一項に記載の空気調和システムにおいて、
上記躯体の温度は、室内の壁、床および天井のうちの少なくとも１つの温度を使って算出された平均温度であることを特徴とする空気調和システム。
【請求項１１】
請求項６から１０までのいずれか一項に記載の空気調和システムにおいて、
空気調和機（２０１）と、
上記空気調和機（２０１）と電気通信網（２０５）を介して通信可能なサーバ（２０５）と
を備え、
上記冷媒回路（ＲＣ）および上記第１温度センサ（５２）は、上記空気調和機（２０１）に設けられ、
上記制御部（２２１）は、上記サーバ（２０２）に設けられていることを特徴とする空気調和システム。
【請求項１２】
請求項１１に記載の空気調和システムにおいて、
上記第２温度センサ（５２）は、上記空気調和機（２０１）外の上記室内空間に設置され、
上記空気調和機（２０１）は、上記第２温度センサ（５４）から、上記躯体の温度を示す信号を、上記電気通信網（２０５）およびサーバ（２０２）を介して受信するか、上記電気通信網（２０５）およびサーバ（２０２）を介さないで直接受信することを特徴とする空気調和システム。
【請求項１３】
請求項６から１０までのいずれか一項に記載の空気調和システムにおいて、
空気調和機（２０１）と、
上記空気調和機（２０１）と電気通信網（２０５）を介して通信可能なサーバ（２０２）と
を備え、
上記第２温度センサ（５２）は、上記空気調和機（２０１）外の上記室内空間に設置され、
上記空気調和機（２０１）は、上記第２温度センサ（５４）から、上記躯体の温度を示す信号を、上記電気通信網（２０５）およびサーバ（２０２）を介して受信するか、上記電気通信網（２０５）およびサーバ（２０２）を介さないで直接受信することを特徴とする空気調和システム。
【発明の詳細な説明】
【技術分野】
【０００１】
本開示は、空気調和機および空気調和システムに関する。
【背景技術】
【０００２】
従来、空気調和機としては、特許文献１に開示されているように、顕熱能力が互いに異なる複数の除湿運転を行うものがある。
【先行技術文献】
【特許文献】
【０００３】
【特許文献１】特開２００４−１０８６１８号公報
【発明の概要】
【発明が解決しようとする課題】
【０００４】
上記従来の空気調和機では、室内空気の除湿時、複数の除湿運転のうちの一つが不適切に選択されて行われることがある。このため、運転切り替えが頻繁に起こるという問題があった。
【０００５】
本開示の課題は、室内空気の除湿時、運転切り替えを減らすことができる空気調和機および空気調和システムを提供することにある。
【課題を解決するための手段】
【０００６】
本開示の空気調和機は、
圧縮機と、室外熱交換器と、室内熱交換器と、上記室内熱交換器の蒸発域の大きさを調整する調整機構とを有する冷媒回路と、
制御部と、
室内空気の温度を検出する第１温度センサと、
室内空間を画定する躯体の温度を検出する第２温度センサと
を備え、
上記制御部が上記冷媒回路を制御することにより、上記室内熱交換器の実質的に全部を蒸発域にする第１除湿運転と、上記室内熱交換器の一部を蒸発域にする第２除湿運転とが行われ、
上記制御部は、上記室内空気の温度と上記躯体の温度とを用いて、上記第１除湿運転および上記第２除湿運転のうちの一つを選択する。
【０００７】
上記構成によれば、上記第１除湿運転および第２除湿運転のうちの一つを選択するとき、室内空気の温度だけでなく、躯体の温度も用いるので、その選択の妥当性を上げることができる。したがって、室内空気の除湿時、運転切り替えを減らすことができる。
【０００８】
一態様の空気調和機では、
上記制御部は、上記室内空気の温度と上記躯体の温度との差が、予め設定された第１閾値よりも大きく、かつ、上記室内空気の温度と設定温度との差が、予め設定された第２閾値よりも小さいとき、上記第１除湿運転を選択する。
【０００９】
上記態様によれば、上記室内空気の温度と躯体の温度との差が第１閾値よりも大きく、かつ、室内空気の温度と設定温度との差が第２閾値よりも小さいとき、第１除湿運転が選択される。したがって、上記室内空気の温度と設定温度との差が第２閾値よりも小さいとき、第１除湿運転の選択の妥当性を上げることができる。
【００１０】
一態様の空気調和機では、
上記制御部は、上記室内空気の温度と上記躯体の温度との差が上記第１閾値よりも大きく、かつ、上記室内空気の温度と上記設定温度との差が、上記第２閾値以上になるとき、上記第１除湿運転を選択する。
【００１１】
上記態様によれば、上記室内空気の温度と躯体の温度との差が第１閾値よりも大きく、かつ、室内空気の温度と設定温度との差が第２閾値以上になるとき、第１除湿運転が選択される。したがって、上記室内空気の温度と設定温度との差に対応する大きな熱負荷を効果的に処理することができる。
【００１２】
一態様の空気調和機では、
上記調整機構は、上記室外熱交換器と上記室内熱交換器との間の冷媒経路に設けられた膨張機構と、上記室内熱交換器の冷媒経路の途中に設けられた制御弁とを有し、
上記第２除湿運転は、
上記室内熱交換器の一部を蒸発域にする一方、上記室内熱交換器の残りの部分を過熱域にする第３除湿運転と、
上記室内熱交換器において上記制御弁よりも上流側の部分を凝縮域とする一方、上記室内熱交換器において上記制御弁よりも下流側の部分を蒸発域とする第４除湿運転と
を含む。
【００１３】
上記態様によれば、上記第２除湿運転は第３，第４除湿運転を含むので、比較的小さくも大きくもない熱負荷を第３除湿運転で処理することができると共に、比較的小さい負荷を熱負荷を第４除湿運転で処理することができる。
【００１４】
一態様の空気調和機では、
上記躯体の温度は、室内の壁、床および天井のうちの少なくとも１つの温度を使って算出された平均温度である。
【００１５】
上記態様によれば、上記室内の壁、床および天井のうちの少なくとも１つの温度を使って算出された平均温度を用いることにより、第１除湿運転、第２除湿運転および第３除湿運転の中から一つを適切に選択することができる。
【００１６】
本開示の空気調和システムは、
圧縮機と、室外熱交換器と、室内熱交換器と、上記室内熱交換器の蒸発域の大きさを調整する調整機構とを有する冷媒回路と、
制御部と、
室内空気の温度を検出する第１温度センサと、
室内空間を画定する躯体の温度を検出する第２温度センサと
を備え、
上記制御部が上記冷媒回路を制御することにより、上記室内熱交換器の実質的に全部を蒸発域にする第１除湿運転と、上記室内熱交換器の一部を蒸発域にする第２除湿運転とが行われ、
上記制御部は、上記室内空気の温度と上記躯体の温度とを用いて、上記第１除湿運転および上記第２除湿運転のうちの一つを選択する。
【００１７】
上記構成によれば、上記第１除湿運転および第２除湿運転のうちの一つを選択するとき、室内空気の温度だけでなく、躯体の温度も用いるので、その選択の妥当性を上げることができる。したがって、室内空気の除湿時、運転切り替えを減らすことができる。
【００１８】
一態様の空気調和システムでは、
上記制御部は、上記室内空気の温度と上記躯体の温度との差が、予め設定された第１閾値よりも大きく、かつ、上記室内空気の温度と設定温度との差が、予め設定された第２閾値よりも小さいとき、上記第１除湿運転を選択する。
【００１９】
上記態様によれば、上記室内空気の温度と躯体の温度との差が第１閾値よりも大きく、かつ、室内空気の温度と設定温度との差が第２閾値よりも小さいとき、第１除湿運転が選択される。したがって、上記室内空気の温度と設定温度との差が第２閾値よりも小さいとき、第１除湿運転の選択の妥当性を上げることができる。
【００２０】
一態様の空気調和システムでは、
上記制御部は、上記室内空気の温度と上記躯体の温度との差が上記第１閾値よりも大きく、かつ、上記室内空気の温度と上記設定温度との差が上記第２閾値以上になるとき、上記第１除湿運転を選択する。
【００２１】
上記態様によれば、上記室内空気の温度と躯体の温度との差が第１閾値よりも大きく、かつ、室内空気の温度と設定温度との差が第２閾値以上になるとき、第１除湿運転が選択される。したがって、上記室内空気の温度と設定温度との差に対応する大きな熱負荷を効果的に処理することができる。
【００２２】
一態様の空気調和システムでは、
上記調整機構は、上記室外熱交換器と上記室内熱交換器との間の冷媒経路に設けられた膨張機構と、上記室内熱交換器の冷媒経路の途中に設けられた制御弁とを有し、
上記第２除湿運転は、
上記室内熱交換器の一部を蒸発域にする一方、上記室内熱交換器の残りの部分を過熱域にする第３除湿運転と、
上記室内熱交換器において上記制御弁よりも上流側の部分を凝縮域とする一方、上記室内熱交換器において上記制御弁よりも下流側の部分を蒸発域とする第４除湿運転と
を含む。
【００２３】
上記態様によれば、上記第２除湿運転は第３，第４除湿運転を含むので、比較的小さくも大きくもない熱負荷を第３除湿運転で処理することができると共に、比較的小さい負荷を熱負荷を第４除湿運転で処理することができる。
【００２４】
一態様の空気調和システムでは、
上記躯体の温度は、室内の壁、床および天井のうちの少なくとも１つの温度を使って算出された平均温度である。
【００２５】
上記態様によれば、上記室内の壁、床および天井のうちの少なくとも１つの温度を使って算出された平均温度を用いることにより、第１除湿運転、第２除湿運転および第３除湿運転の中から一つを適切に選択することができる。
【００２６】
一態様の空気調和システムは、
空気調和機と、
上記空気調和機と電気通信網を介して通信可能なサーバと
を備え、
上記冷媒回路および上記第１温度センサは、上記空気調和機に設けられ、
上記制御部は、上記サーバに設けられている。
【００２７】
上記態様によれば、上記制御部をサーバに設けることにより、空気調和機を外部から制御して、空気調和機に第１除湿運転または第２除湿運転を行わせることができる。
【００２８】
一態様の空気調和システムでは、
上記第２温度センサは、上記空気調和機外の上記室内空間に設置され、
上記空気調和機は、上記第２温度センサから、上記躯体の温度を示す信号を、上記電気通信網およびサーバを介して受信するか、上記電気通信網およびサーバを介さないで直接受信する。
【００２９】
上記態様によれば、上記第２温度センサは空気調和機外の上記室内空間に設置されているので、空気調和機が躯体の温度を検出する機能を有していなくても、空気調和機に第１除湿運転または第２除湿運転を行わせることができる。
【００３０】
また、上記空気調和機は、第２温度センサから、躯体の温度を示す信号を、電気通信網およびサーバを介して受信するので、サーバが躯体の温度を把握することができる。
【００３１】
また、上記空気調和機は、第２温度センサから、躯体の温度を示す信号を、電気通信網およびサーバを介さないで直接受信するので、電気通信網およびサーバの状態に関係なく、躯体の温度を示す信号を受信することができる。
【００３２】
一態様の空気調和システムは、
空気調和機と、
上記空気調和機と電気通信網を介して通信可能なサーバと
を備え、
上記第２温度センサは、上記空気調和機外の上記室内空間に設置され、
上記空気調和機は、上記第２温度センサから、上記躯体の温度を示す信号を、上記電気通信網およびサーバを介して受信するか、上記電気通信網およびサーバを介さないで直接受信する。
【００３３】
上記態様によれば、上記第２温度センサは空気調和機外の上記室内空間に設置されているので、空気調和機が躯体の温度を検出する機能を有していなくても、空気調和機に第１除湿運転または第２除湿運転を行わせることができる。
【００３４】
また、上記空気調和機は、第２温度センサから、躯体の温度を示す信号を、電気通信網およびサーバを介して受信するので、サーバが躯体の温度を把握することができる。
【００３５】
また、上記空気調和機は、第２温度センサから、躯体の温度を示す信号を、電気通信網およびサーバを介さないで直接受信するので、電気通信網およびサーバの状態に関係なく、躯体の温度を示す信号を受信することができる。
【図面の簡単な説明】
【００３６】
【図１】本開示の第１実施形態の空気調和機の冷媒回路の回路図である。
【図２】上記空気調和機の制御ブロック図である。
【図３】上記空気調和機の冷房除湿運転を説明するための模式図である。
【図４】上記空気調和機の過絞り除湿運転を説明するための模式図である。
【図５】上記空気調和機の再熱除湿運転を説明するための模式図である。
【図６】上記空気調和機の冷房除湿運転、過絞り除湿運転および再熱除湿運転に関するモリエル線図である。
【図７】上記空気調和機の除湿運転の選択を説明するためのグラフである。
【図８】上記空気調和機の除湿運転を選択するための制御に関するフローチャートである。
【図９】本開示の第２実施形態の空気調和システムの概略構成図である。
【発明を実施するための形態】
【００３７】
以下、本開示の空気調和機を、図示の実施の形態により詳細に説明する。
【００３８】
〔第１実施形態〕
図１は、本開示の第１実施形態の空気調和機が備える冷媒回路ＲＣの回路図である。
【００３９】
上記空気調和機は、空調対象である室内空間に設置される室内機１と、室外に設置される室外機２とを備える。
【００４０】
室内機１は、例えば、室内の壁面に取り付けられる壁掛け式の室内ユニットである。この室内機１は、室内熱交換器１１と、この室内熱交換器１１に空気を送る室内ファン１２とを有する。
【００４１】
室内熱交換器１１は、室内ファン１２による空気流に関して、室内ファン１２よりも上流側に位置している。この室内熱交換器１１は、空気と冷媒との熱交換を行うために、本体熱交換部１１ａと、補助熱交換部１１ｂとを有する。
【００４２】
本体熱交換部１１ａは、正面部１１ａ−１および背面部１１ａ−２から成っている。正面部１１ａ−１は、室内ユーザ側に位置する一方、背面部１１ａ−２は、室内ユーザ側とは反対側に位置する。別の言い方をすると、背面部１１ａ−２は、室内機１が取り付けられる壁側に位置する一方、正面部１１ａ−１は、その壁側とは反対側に位置する。また、正面部１１ａ−１は、冷媒配管Ｌ１，Ｌ２などを介して背面部１１ａ−２に流体的に接続されている。これにより、膨張弁２４から本体熱交換部１１ａへ流れる冷媒は、正面部１１ａ−１を流れた後、背面部１１ａ−２に流入する。
【００４３】
補助熱交換部１１ｂは、本体熱交換部１１ａの正面部１１ａ−１に関して、本体熱交換部１１ａの背面部１１ａ−２側とは反対側に設けられている。別の言い方をすると、補助熱交換部１１ｂは、本体熱交換部１１ａの正面部１１ａ−１よりも、室内ユーザ側に位置する。この補助熱交換部１１ｂは、本体熱交換部１１ａよりも、容積が小さい。また、補助熱交換部１１ｂは、冷媒配管Ｌ１１を介して本体熱交換部１１ａの正面部１１ａ−１に流体的に接続されている。これにより、膨張弁２４側からの冷媒は、補助熱交換部１１ｂを介して、本体熱交換部１１ａに供給される。このように、補助熱交換部１１ｂは、冷媒配管Ｌ３と冷媒配管Ｌ１１との間の冷媒経路を有するものと言える。
【００４４】
室内ファン１２としては、例えば、クロスフローファンが採用される。このクロスフローファンは、室内熱交換器１１で温度などが調整された空気を室内に向けて吹き出す。
【００４５】
また、室内熱交換器１１の冷媒経路の途中には、制御弁の一例としての電磁弁１３が設けられている。この電磁弁１３は、本体熱交換部１１ａの正面部１１ａ−１側と本体熱交換部１１ａの背面部１１ａ−２側との間の差圧を設定する。より詳しく説明すると、電磁弁１３は、大開度および小開度の２位置のみを取ることが可能なオンオフ弁であり、必要時(例えば、後述する再熱除湿運転時)にオンされ、大開度の位置から小開度の位置に切り替えられる。
【００４６】
また、室内機１は、室内熱交換器１１の温度を検出する室内熱交換器温度センサ５１と、室内空気の温度（以下、「室内温度」という。）を検出する室内温度センサ５２と、室内湿度を検出する室内湿度センサ５３と、躯体温度センサ５４とを有する。なお、室内温度センサ５２は、第１温度センサの一例である。また、躯体温度センサ５４は、第２温度センサの一例である。
【００４７】
躯体温度センサ５４は、上記室内空間を画定する壁の温度を検出する。躯体温度センサ５４としては、例えば、室内機１の前方（室内機１が取り付けられる壁とは反対側）からの赤外線を受ける赤外線センサなどが使用される。ここで、上記壁は、上記室内空間を画定する例えば４つの壁のうちの一つであって、室内機１が取り付けられる壁に対向する壁（以下、「前方の壁」という。）を意味する。
【００４８】
室外機２は、圧縮機２１と、四路切換弁２２と、室外熱交換器２３と、膨張機構の一例としての膨張弁２４と、アキュムレータ２５と、室外熱交換器２３に空気を送る室外ファン２６とを有する。さらに、室外機２は、室外熱交換器２３の温度を検出する室外熱交換器温度センサ５６と、外気温度を検出する外気温度センサ５７と、膨張弁２４で減圧された冷媒の温度（蒸発温度）を検出する冷媒温度センサ５８とを有する。
【００４９】
室外熱交換器２３は、室外ファン２６による空気流に関して、室外ファン２６よりも上流側に位置している。
【００５０】
膨張弁２４は、互いに異なる３以上の開度に調整可能な例えば電動弁であって、制御装置１００(図２に示す)からの信号に応じて開度が変化する。
【００５１】
また、上記空気調和機の冷媒回路ＲＣは、室内熱交換器１１、電磁弁１３、圧縮機２１、四路切換弁２２、室外熱交換器２３、膨張弁２４、アキュムレータ２５および冷媒配管Ｌ３〜Ｌ９から成っている。より詳しく説明すると、室内熱交換器１１、圧縮機２１、四路切換弁２２、室外熱交換器２３、膨張弁２４およびアキュムレータ２５が、冷媒配管Ｌ３〜Ｌ９によって流体的に接続される。これにより、環状の冷媒回路ＲＣが構成されている。このような冷媒回路ＲＣにおいて、圧縮機２１の駆動時、冷媒が循環する。
【００５２】
外気温度センサ５７は、室外ファン２６による空気流に関して、室外熱交換器２３よりも上流側に位置している。別の言い方をすると、室外ファン２６の駆動時、室外熱交換器２３と熱交換する前の室外空気が外気温度センサ５７を経由するようになっている。
【００５３】
また、図示しないが、上記空気調和機は、リモートコントローラ(以下、「リモコン」と言う。)を備える。ユーザは、リモコンを操作して、自動運転、冷房運転、暖房運転、除湿運転などを開始させたり、停止させたりすることができる。上記リモコンは、ユーザの操作に応じて室内機１と例えば無線通信を行う。
【００５４】
図２は、上記空気調和機の制御ブロック図である。
【００５５】
上記空気調和機は、冷媒回路ＲＣを制御する制御装置１００を備える。より詳しく説明すると、制御装置１００は、マイクロコンピュータ、入出力回路などから成っている。この制御装置１００が、室内熱交換器温度センサ５１、室内温度センサ５２、室内湿度センサ５３、躯体温度センサ５４、室外熱交換器温度センサ５６、外気温度センサ５７、冷媒温度センサ５８などからの信号に基づいて、圧縮機２１、四路切換弁２２、膨張弁２４、室外ファン２６、室内ファン１２、電磁弁１３などを制御する。なお、制御装置１００は制御部の一例である。
【００５６】
また、制御装置１００は、冷房除湿運転を行うための冷房除湿運転制御部１００ａと、過絞り除湿運転を行うための過絞り除湿運転制御部１００ｂと、再熱除湿運転を行うための再熱除湿運転制御部１００ｃとを有する。この冷房除湿運転制御部１００ａ、過絞り除湿運転制御部１００ｂおよび再熱除湿運転制御部１００ｃは、それぞれ、ソフトウェアにより構成されている。なお、上記冷房除湿運転は、第１除湿運転の一例である。また、上記過絞り除湿運転および再熱除湿運転は、第２除湿運転の一例である。また、上記過絞り除湿運転は、第３除湿運転の一例である。また、上記再熱除湿運転は、第４除湿運転の一例である。
【００５７】
［冷房除湿運転］
上記冷房除湿運転は、図１に示すように、四路切換弁２２を実線の切換え位置に切り換えると共に、圧縮機２１を起動することで、開始される。この冷房除湿運転中、圧縮機２１から吐出された高温高圧の冷媒が四路切換弁２２を介して室外熱交換器２３に流入する。そして、室外熱交換器２３で凝縮した冷媒は、膨張弁２４で減圧された後、室内熱交換器１１の補助熱交換部１１ｂと、室内熱交換器１１の本体熱交換部１１ａとに、この順で流入する。この本体熱交換部１１ａおよび補助熱交換部１１ｂで蒸発した冷媒が四路切換弁２２およびアキュムレータ２５を介して圧縮機２１の吸入側に戻る。このように、冷媒が冷媒回路ＲＣを循環するとき、冷房除湿運転制御部１００ａが、圧縮機２１の周波数と膨張弁２４の開度とを調整すると共に、電磁弁１３をオフにすることで、図３に示すように、室内熱交換器１１の実質的に全部を蒸発域(図３において斜線のハッチングを付した領域)とする。これにより、上記冷房除湿運転は、室内温度を変化させるための能力である顕熱能力が高くなる。
【００５８】
ここで、室内熱交換器１１の実質的に全部を蒸発域にするとは、室内熱交換器１１の全部を蒸発域にするときだけでなく、室内熱交換器１１において一部を除いた部分だけを蒸発域にするときも含む。この一部(例えば、室内熱交換器１１の全容積の１／３以下の部分)だけが蒸発域とならないときとしては、例えば、室内環境などによって、室内熱交換器１１の冷媒出口近傍の部分が過熱域となるときなどがある。
【００５９】
［過絞り除湿運転］
上記過絞り除湿運転は、上記冷房除湿運転のときと同じ方向に冷媒を流す。このとき、過絞り除湿運転制御部１００ｂが、圧縮機２１の周波数と膨張弁２４の開度とを調整すると共に、電磁弁１３をオフにすることで、図４に示すように、補助熱交換部１１ｂを蒸発域(斜線のハッチングを付した領域)にする一方、本体熱交換部１１ａの正面部１１ａ−１および背面部１１ａ−２を過熱域(点のハッチングを付した領域)にする。これにより、上記過絞り除湿運転は、冷房除湿運転によりも顕熱能力が低くなるので、室内の熱負荷が高くも低くもないとき、室温の低下を抑制しつつ、室内の除湿を行える。
【００６０】
また、過絞り除湿運転制御部１００ｂは、過絞り除湿運転中、蒸発域が所定容積(例えば、室内熱交換器１１の全容積の２／３)以下となるように、圧縮機２１および膨張弁２４を制御する。
【００６１】
［再熱除湿運転］
上記再熱除湿運転は、上記冷房除湿運転のときと同じ方向に冷媒を流す。このとき、再熱除湿運転制御部１００ｃが、圧縮機２１の周波数と膨張弁２４の開度とを調整すると共に、電磁弁１３をオンにすることで、図５に示すように、補助熱交換部１１ｂと本体熱交換部１１ａの正面部１１ａ−１とを凝縮域(格子のハッチングを付した領域)にする一方、本体熱交換部１１ａの背面部１１ａ−２を蒸発域(斜線のハッチングを付した領域)にする。これにより、上記再熱除湿運転は、過絞り除湿運転よりも顕熱能力が低くなるので、室内の熱負荷が低いとき、室温の低下を抑制しつつ、室内の除湿を行える。
【００６２】
また、上記再熱除湿運転では、電磁弁１３は、小開度の位置に切り替えられる。より詳しく説明すると、上記再熱除湿運転における電磁弁１３の開度は、空気流量が１０Ｌ／ｍｉｎ未満に相当する開度である。上記再熱除湿運転における電磁弁１３の開度は、空気流量が３．５Ｌ／ｍｉｎ以上５Ｌ／ｍｉｎ以下に相当する開度であれば好ましい。ここで、「上記再熱除湿運転における電磁弁１３の開度が、空気流量が１０Ｌ／ｍｉｎ未満に相当する開度である」とは、上記開度において冷媒回路ＲＣを流れる空気流量が１０Ｌ／ｍｉｎ未満であることをいうのではなく、電磁弁１３の流量特性から求められる上記開度における空気流量が１０Ｌ／ｍｉｎ未満であることをいう。
【００６３】
図６は、上記空気調和機の冷房除湿運転時、過絞り除湿運転時および再熱除湿運転時のモリエル線図である。
【００６４】
過絞り除湿運転制御部１００ｂの制御は、過絞り除湿運転の蒸発温度は、冷房除湿運転の蒸発温度よりも低くなるように行われる。このとき、膨張弁２４の開度は、通常、冷房除湿運転中の膨張弁２４の開度よりも小さくなる。
【００６５】
再熱除湿運転制御部１００ｃの制御は、原則、再熱除湿運転の蒸発温度が過絞り除湿運転の蒸発温度よりも低くなるように行われる。このとき、膨張弁２４の開度は、過絞り除湿運転中における膨張弁２４の最大開度よりも大きい開度に固定される。
【００６６】
図７は、冷房除湿運転、過絞り除湿運転および再熱除湿運転から一つが選択されて行われるとき、この選択がどのように行われるのかを説明するためのグラフである。
【００６７】
制御装置１００は、躯体温度センサ５４によって検出された壁の温度と、室内温度センサ５２によって検出された室内温度との差Ｙを算出すると共に、その室内温度と設定温度との差Ｘを算出する。室内温度と躯体の温度との差Ｙは、予め設定された閾値α１，α２と比較される一方、室内温度と設定温度との差Ｘは、予め設定された閾値β１，β２と比較される。この比較の結果に基づいて、図７および下記（１）〜（７）に示すように、冷房除湿運転、過絞り除湿運転および再熱除湿運転のうちの一つが、選択される。なお、上記設定温度は、メーカ側で空気調和機の出荷前に設定されているが、ユーザが例えばリモコンなどで変更可能になっている。また、α２は、α１よりも大きく、第１閾値の一例である。β１は、第２閾値の一例である。
【００６８】
（１）  Ｙ＞α２，Ｘ＜β１
制御装置１００は、室内温度と躯体の温度との差Ｙが、閾値α２よりも大きく、かつ、室内温度と設定温度との差Ｘが、閾値β１よりも小さいとき、冷房除湿運転を選択する。
【００６９】
（２）  Ｙ＞α２，Ｘ＞β２
制御装置１００は、室内温度と躯体の温度との差Ｙが、閾値α２よりも大きく、かつ、室内温度と設定温度との差Ｘが、閾値β２よりも大きいとき、冷房除湿運転を選択する。
【００７０】
（３）  Ｙ＞α２，β１≦Ｘ≦β２
制御装置１００は、室内温度と躯体の温度との差Ｙが閾値α２よりも大きく、かつ、室内温度と設定温度との差Ｘが、閾値β１以上であって閾値β２以下であるとき、冷房除湿運転を選択する。
【００７１】
（４）  Ｙ＜α１，Ｘ＜β１
制御装置１００は、室内温度と躯体の温度との差Ｙが、閾値α１よりも小さく、かつ、室内温度と設定温度との差Ｘが、閾値β１よりも小さいとき、再熱除湿運転を選択する。
【００７２】
（５）  Ｙ＜α１，Ｘ＞β２
制御装置１００は、室内温度と躯体の温度との差Ｙが、閾値α１よりも小さく、かつ、室内温度と設定温度との差Ｘが、閾値β２よりも大きいとき、冷房除湿運転を選択する。
【００７３】
（６）  Ｙ＜α１，β１≦Ｘ≦β２
制御装置１００は、室内温度と躯体の温度との差Ｙが、閾値α１よりも小さく、かつ、室内温度と設定温度との差Ｘが、閾値β１以上であって閾値β２以下であるとき、過絞り除湿運転を選択する。
【００７４】
（７）  α１≦Ｙ≦α２，Ｘ＜β１
制御装置１００は、室内温度と躯体の温度との差Ｙが、閾値α１以上であって閾値α２以下であり、かつ、室内温度と設定温度との差Ｘが、閾値β１よりも小さいとき、過絞り除湿運転を選択する。
【００７５】
（８）  α１≦Ｙ≦α２，Ｘ＞β２
制御装置１００は、室内温度と躯体の温度との差Ｙが、閾値α１以上であって閾値α２以下であり、かつ、室内温度と設定温度との差Ｘが、閾値β２よりも大きいとき、冷房除湿運転を選択する。
【００７６】
（９）  α１≦Ｙ≦α２，β１≦Ｘ≦β２
制御装置１００は、室内温度と躯体の温度との差Ｙが、閾値α１以上であって閾値α２以下であり、かつ、室内温度と設定温度との差Ｘが、閾値β１以上であって閾値β２以下であるとき、過絞り除湿運転を選択する。
【００７７】
以下、図９のフローチャートを用いて、冷房除湿運転、過絞り除湿運転および再熱除湿運転のうちの一つを選択するための制御について説明する。
【００７８】
上記制御がスタートすると、まず、ステップＳ１で、リモコンの除湿運転のボタンが押下されたか否かを判定する。このステップＳ１は、除湿運転のボタンが押下されと判定されるまで繰り返される。
【００７９】
次に、ステップＳ２で、室内湿度は設定湿度よりも高いか否かを判定する。このステップＳ２で、室内湿度が設定湿度よりも高いと判定されると、次のステップＳ３に進む一方、室内湿度が設定湿度よりも高くないと判定されると、上記制御はエンドとなる。なお、上記設定湿度は、設定温度と同様に、メーカ側で空気調和機の出荷前に設定されているが、ユーザが例えばリモコンなどで変更可能になっている。
【００８０】
最後に、ステップＳ３で、室内温度と設定温度との差Ｘを算出すると共に、室内温度と躯体の温度との差Ｙを算出した後、この差Ｘ，Ｙに基づいて、冷房除湿運転、過絞り除湿運転および再熱除湿運転のうちの一つを選択する。別の言い方をすると、差Ｘ，Ｙが図７のグラフのどの領域に入るかを判定して、差Ｘ，Ｙが入る領域に対応する除湿運転を選択する。
【００８１】
このように、制御装置１００が、冷房除湿運転、過絞り除湿運転および再熱除湿運転のうちの一つを選択するとき、室内空気の温度だけでなく、躯体の温度も考慮するので、その選択の妥当性を上げることができる。したがって、室内空気の除湿時、冷房除湿運転、過絞り除湿運転および再熱除湿運転のうちの一つを選択した後、運転の切り替え回数を減らすことができる。
【００８２】
また、上記室内温度と躯体の温度との差Ｙが閾値α２よりも大きく、かつ、室内温度と設定温度との差Ｘが閾値β１よりも小さいとき、熱負荷が大きいと判定されて、冷房除湿運転が選択される。したがって、上記室内温度と設定温度との差Ｘが閾値β１よりも小さいとき、冷房除湿運転の選択の妥当性を上げることができる。
【００８３】
これに対して、上記室内温度と躯体の温度との差Ｙを考慮しなければ、室内温度と設定温度との差Ｘが閾値β１よりも小さいため、熱負荷が小さいと間違って判定されて、再熱除湿運転が選択されてしまう。ここで、上記再熱除湿運転が選択されると、除湿運転の時間が長くなってしまう恐れがある。
【００８４】
また、上記室内温度と躯体の温度との差Ｙが閾値α２よりも大きく、かつ、室内温度と設定温度との差Ｘが閾値β２よりも大きいとき、冷房除湿運転が選択される。したがって、上記差Ｘに対応する大きな熱負荷を効果的に処理することができる。
【００８５】
また、上記室内温度と躯体の温度との差Ｙが閾値α２よりも大きく、かつ、室内温度と設定温度との差Ｘが閾値β１以上であって閾値β２以下であるとき、冷房除湿運転が選択される。したがって、上記室内温度と設定温度との差Ｘが閾値β１以上であって閾値β２以下であるとき、冷房除湿運転の選択の妥当性を上げることができる。
【００８６】
これに対して、上記室内温度と躯体の温度との差Ｙを考慮しなければ、室内温度と設定温度との差Ｘが閾値β１以上であって閾値β２以下であるいため、熱負荷が小さくも大きくもないと間違って判定されて、過絞り除湿運転が選択されてしまう。ここで、上記過絞り除湿運転が選択されると、除湿運転の時間が長くなってしまう恐れがある。
【００８７】
また、上記空気調和機は、冷房除湿運転の他に、過絞り除湿運転および再熱除湿運転も行えるので、比較的小さくも大きくもない熱負荷を過絞り除湿運転で処理することができると共に、比較的小さい負荷を熱負荷を再熱除湿運転で処理することができる。
【００８８】
上記第１実施形態では、躯体温度センサ５４は、前方の壁の温度を検出していたが、例えば、室内機１が取り付けられる壁（以下、「後方の壁」という。）の温度、または、後方の壁に連なって室内機１の側方に位置する壁（以下、「側方の壁」）の温度を検出してもよい。
【００８９】
上記第１実施形態では、制御装置１００は、冷房除湿運転、過絞り除湿運転および再熱除湿運転のうちの一つを選択するために、前方の壁の温度を用いていたが、例えば、１つの前方の壁の温度と、１つの後方の壁と、２つの側方の壁との平均温度を用いてもよい。例えば、上記平均温度は、それら４つの壁の温度の総和を４で割って求めてもよい。
【００９０】
上記第１実施形態では、躯体温度センサ５４は、前方の壁の温度を検出していたが、室内機１が設置される室内空間を画定する床の温度を検出するようにしてもよい。このようにする場合、上記床の複数箇所の温度から床の平均温度を算出して、冷房除湿運転、過絞り除湿運転および再熱除湿運転のうちの一つを選択するときに用いてもよい。例えば、床の１０箇所の温度から床の平均温度を算出する場合、床の１０箇所の温度を順次検出した後、それらの温度の総和を１０で割ってもよい。
【００９１】
上記第１実施形態では、躯体温度センサ５４は、前方の壁の温度を検出していたが、室内機１が設置される室内空間を画定する天井の温度を検出するようにしてもよい。このようにする場合、上記天井の複数箇所の温度から天井の平均温度を算出して、冷房除湿運転、過絞り除湿運転および再熱除湿運転のうちの一つを選択するときに用いてもよい。例えば、天井の１０箇所の温度から天井の平均温度を算出する場合、天井の１０箇所の温度を順次検出した後、それらの温度の総和を１０で割ってもよい。
【００９２】
上記第１実施形態では、制御装置１００は、冷房除湿運転、過絞り除湿運転および再熱除湿運転のうちの一つを選択するときに、前方の壁の温度を用いていたが、室内機１が設置される室内空間を画定する壁、床および天井のうちのうちの少なくとも２つの平均温度を用いてもよい。
【００９３】
上記第１実施形態では、リモコンの除湿運転のボタンが押下されると、冷房除湿運転、過絞り除湿運転および再熱除湿運転のうちの一つが選択されて行われていたが、リモコンの自動運転のボタンが押下されても、冷房除湿運転、過絞り除湿運転および再熱除湿運転のうちの一つが選択されて行われるようにしてもよい。ここで、上記自動運転とは、室内温度、室外温度などに基づいて、冷房運転、除湿運転、暖房運転などから一つが自動的に選択されて開始した後、自動的に他の空調運転に切り替わる運転を指す。
【００９４】
上記第１実施形態では、冷房除湿運転、過絞り除湿運転および再熱除湿運転のうちの一つを選択していたが、冷房除湿運転および過絞り除湿運転のうちの一つを選択するようにしたり、冷房除湿運転および再熱除湿運転のうちの一つを選択するようにしたりしてもよい。別の言い方をすれば、本開示は、冷房除湿運転および過絞り除湿運転を行えるが、再熱除湿運転を行えない空気調和機に適用をしてもよいし、冷房除湿運転および再熱除湿運転を行えるが、過絞り除湿運転を行えない空気調和機に適用してもよい。なお、
上記冷房除湿運転および過絞り除湿運転のうちの一つを選択する場合、上記（１）〜（３）の条件と同様の条件が成立したときは、冷房除湿運転を選択するようにしてもよい。
【００９５】
このような選択を行うことにより、室内空気の除湿時、冷房除湿運転または過絞り除湿運転を選択した後、運転の切り替え回数を減らすことができる。
【００９６】
上記冷房除湿運転および過絞り除湿運転を行えるが、再熱除湿運転を行えない空気調和機は、電磁弁１３のような制御弁を備えなくて済む。したがって、上記空気調和機は、製造コストの増加を抑制できる。
【００９７】
上記冷房除湿運転および再熱除湿運転のうちの一つを選択する場合、上記（１）〜（３）の条件と同様の条件が成立したときは、冷房除湿運転を選択するようにしてもよい。
【００９８】
このような選択を行うことにより、室内空気の除湿時、冷房除湿運転または再熱除湿運転を選択した後、運転の切り替え回数を減らすことができる。
【００９９】
上記第１実施形態では、室内熱交換器１１は、本体熱交換部１１ａと補助熱交換部１１ｂを有していたが、本体熱交換部１１ａを有する一方、補助熱交換部１１ｂを有さないようにしてもよい。このようにする場合、過絞り除湿運転時、本体熱交換部１１ａの一部だけが蒸発域となるようにすればよい。
【０１００】
上記第１実施形態では、本体熱交換部１１ａの正面部１１ａ−１と本体熱交換部１１ａの背面部１１ａ−２との間に、電磁弁１３を設けていたが、互いに異なる３以上の開度に調整可能な電動弁を制御弁の一例として設けてもよい。別の言い方をすれば、室内熱交換器１１の冷媒経路の途中に、膨張弁２４と同様の電磁弁を制御弁の一例として設けてもよい。
【０１０１】
上記第１実施形態において、制御装置１００は、室内機１側の室内制御部(図示せず)と、室外機２側の室外制御部(図示せず)とで構成されてもよいし、上記室内制御部のみで構成されるようにしてもよいし、上記室外制御部のみで構成されてもよい。別の言い方をすれば、制御装置１００は、一部が室内機１に搭載され、かつ、残りの他の部分が室外機２に搭載されるようにしてもよいし、全部が室内機１に搭載されるようにしてもよいし、全部が室外機２に搭載されるようにしてもよい。
【０１０２】
上記第１実施形態では、空気調和機は、制御装置１００を備えていたが、制御装置１００を備えないようにしてもよい。このようにする場合、空気調和機以外の装置などに搭載された制御装置を制御部の一例として用いてもよい。但し、上記空気調和機が制御装置１００を備えないようにする場合よりも、上記空気調和機が制御装置１００を備えるようにする方が、空気調和機のみで空調運転を制御できる点で好ましい。
【０１０３】
上記第１実施形態では、空気調和機は、躯体温度センサ５４を備えていたが、躯体温度センサ５４を備えないようにしてもよい。このようにする場合、空気調和機以外の装置などに搭載された躯体温度センサを第２温度センサの一例として用いてもよい。但し、上記空気調和機が躯体温度センサ５４を備えないようにする場合よりも、上記空気調和機が躯体温度センサ５４を備えるようにする場合の方が、空気調和機のみで躯体の温度を検出できる点で好ましい。
【０１０４】
〔第２実施形態〕
図９は、本開示の第２実施形態の空気調和システムの概略構成図である。
【０１０５】
上記空気調和システムは、空気調和機２０１と、この空気調和機２０１と通信可能なサーバ２０２と、このサーバ２０２と通信可能な通信端末２０３とを備える。
【０１０６】
図９では図示していないが、空気調和機２０１は、上記第１実施形態と同様に、図１の冷媒回路ＲＣ、室内温度センサ５２、躯体温度センサ５４などを備えている。この空気調和機２０１は、制御装置１００（図２示す）のような制御装置を備えていない点と、無線通信モジュール２１１を備えている点とを除くと、上記第１実施形態の空気調和機と同様に構成されている。
【０１０７】
無線通信モジュール２１１は、無線アクセスポイント２０４との間で無線通信を行う。より詳しくは、無線通信モジュール２１１は、Wi-Fi(登録商標)、Bluetooth（登録商標）、NFC（Near Field Communication）などの通信規格を用いる部品であって、無線アクセスポイント２０４を介して、サーバ２０２へ信号を送ったり、サーバ２０２から信号を受けたりする。このとき、サーバ２０２と無線アクセスポイント２０４の間の通信は、電気通信網２０５を介して行われる。無線アクセスポイント２０４は、空気調和機２０１で空調される部屋を有する建物内に設置されている。なお、無線アクセスポイント２０４の一例としは、無線ＬＡＮ（Local Area Network）ルーターがある。
【０１０８】
サーバ２０２は制御装置２２１を有する。この制御装置２２１は、制御装置１００（図２示す）と同様の構成を有し、空気調和機２０１の冷媒回路ＲＣを制御する。より詳しくは、空気調和機２０１は、制御装置２２１からの信号を無線通信モジュール２１１で受けることにより、冷房除湿運転、過絞り除湿運転および再熱除湿運転から一つを行う。なお、上記冷房除湿運転、過絞り除湿運転および再熱除湿運転の開始条件は、上記第１実施形態と同様である。
【０１０９】
通信端末２０３は、電気通信網２０５を介してサーバ２０２と通信を行うことにより、上記建物内外から空気調和機２０１を操作することが可能である。このような通信端末２０３としては、例えば、スマートフォン（smartphone：多機能携帯電話)、ノートパソコン、タブレット端末などのモバイル情報端末がある。
【０１１０】
上記構成の空気調和システムは、上記第１実施形態の空気調和機と同様の作用効果を奏する。
【０１１１】
また、サーバ２０２が制御装置２２１を有することにより、空気調和機２０１を上記建物外から制御して、空気調和機２０１に、冷房除湿運転、過絞り除湿運転または再熱除湿運転を行わせることができる。
【０１１２】
上記第２実施形態では、空気調和機２０１は、躯体温度センサ５４を有していたが、躯体温度センサ５４を有さないようにしてもよい。このようにする場合、空気調和機２０１以外の装置などに搭載された躯体温度センサを利用してもよい。この躯体温度センサの利用により、空気調和機２０１の製造コストを下げることができる。
【０１１３】
また、躯体温度センサ５４は空気調和機２０１外の室内空間に設置されるようにした場合、躯体の温度を検出する機能を有さない空気調和機に対しても、冷房除湿運転、過絞り除湿運転または再熱除湿運転を行わせることができる。
【０１１４】
上記第２実施形態では、空気調和機２０１が制御装置を有さないで、サーバ２０２が制御装置２２１を有していたが、空気調和機が第１制御装置を有し、サーバ２０２が第２制御装置を有するようにしていもよい。このようにする場合、例えば、第１制御装置が第２制御装置と共同することにより、制御装置２２１と同様の動作を行えるようにしてもよい。
【０１１５】
なお、空気調和装置２０１が躯体温度センサ５４を有さない場合は、躯体温度センサ５４または躯体温度センサ５４が搭載された装置は、サーバ２０２を介して空気調和装置２０１と接続されて、壁などの温度を示す信号を空気調和装置２０１へ送信してもよいし、無線通信モジュール２１１によって直接空気調和装置２０１に接続されて、壁などの温度を示す信号を空気調和装置２０１へ送信してもよい。
【０１１６】
また、空気調和機２０１が、躯体温度センサ５４から、躯体の温度を示す信号を、電気通信網２０５およびサーバ２０２を介して受信する場合、サーバ２０２が躯体の温度を把握することができる。
【０１１７】
また、空気調和機２０２が、躯体温度センサ５４から、躯体の温度を示す信号を、電気通信網２０５およびサーバ２０２を介さないで直接受信する場合、電気通信網２０５およびサーバ２０２の状態に関係なく、躯体の温度を示す信号を受信することができる。
【０１１８】
本開示の具体的な実施形態について説明したが、本開示は上記第１，第２実施形態およびその変形例に限定されるものではなく、本開示の範囲内で種々変更して実施することができる。例えば、上記第１，第２実施形態のそれぞれにおいて変形例同士を組み合わせたものを、本開示の一実施形態としてもよい。あるいは、上記第１実施形態の内容と第２実施形態の内容とを組み合わせたものを、本開示の一実施形態としてもよい。
【符号の説明】
【０１１９】
１  室内機
２  室外機
１１  室内熱交換器
１１ａ  本体熱交換部
１１ａ−１  正面部
１１ａ−２  背面部
１１ｂ  補助熱交換部
１３  電磁弁
１２  室内ファン
２１  圧縮機
２２  四路切換弁
２３  室外熱交換器
２４  膨張弁
２５  アキュムレータ
２６  室外ファン
５１  室内熱交換器温度センサ
５２  室内温度センサ
５３  室内湿度センサ
５４  躯体温度センサ
５６  室外熱交換器温度センサ
５７  外気温度センサ
５８  冷媒温度センサ
１００，２２１  制御装置
２０１  空気調和機
２０２  サーバ
２０３  通信端末
ＲＣ  冷媒回路
【図１】
2020159684.tif 000003
【図２】
2020159684.tif 000004
【図３】
2020159684.tif 000005
【図４】
2020159684.tif 000006
【図５】
2020159684.tif 000007
【図６】
2020159684.tif 000008
【図７】
2020159684.tif 000009
【図８】
2020159684.tif 000010
【図９】
2020159684.tif 000011
【手続補正書】
【提出日】令和2年8月13日(2020.8.13)
【手続補正１】
【補正対象書類名】特許請求の範囲
【補正対象項目名】全文
【補正方法】変更
【補正の内容】
【特許請求の範囲】
【請求項１】
圧縮機（２１）と、室外熱交換器（２３）と、室内熱交換器（１１）と、上記室内熱交換器（１１）の蒸発域の大きさを調整する調整機構（１３，２４）とを有する冷媒回路（ＲＣ）と、
制御部（１００）と、
室内空気の温度を検出する第１温度センサ（５２）と、
室内空間を画定する躯体の温度を検出する第２温度センサ（５４）と
を備え、
上記制御部（１００）が上記冷媒回路を制御することにより、上記室内熱交換器（１１）の実質的に全部を蒸発域にする第１除湿運転と、上記室内熱交換器（１１）の一部を蒸発域にする第２除湿運転とが行われ、
上記制御部（１００）は、上記室内空気の温度と上記躯体の温度とを用いて、上記第１除湿運転および上記第２除湿運転のうちの一つを選択し、
上記制御部（１００）は、
上記室内空気の温度と上記躯体の温度との差が、予め設定された第１閾値（α２）よりも大きく、かつ、上記室内空気の温度と設定温度との差が、予め設定された第２閾値（β１）よりも小さいとき、上記第１除湿運転を選択する一方、
上記室内空気の温度と上記躯体の温度との差が上記第１閾値（α２）以下であり、かつ、上記室内空気の温度と設定温度との差が上記第２閾値（β１）よりも小さいとき、上記第２除湿運転を選択することを特徴とする空気調和機。
【請求項２】
請求項１に記載の空気調和機において、
上記制御部（１００）は、
上記室内空気の温度と上記躯体の温度との差が上記第１閾値（α２）よりも大きく、かつ、上記室内空気の温度と上記設定温度との差が上記第２閾値（β１）以上になるとき、上記第１除湿運転を選択することを特徴とする空気調和機。
【請求項３】
請求項１または２に記載の空気調和機において、
上記制御部（１００）は、
上記室内空気の温度と上記躯体の温度との差が上記第１閾値（α２）以下であり、かつ、上記室内空気の温度と設定温度との差が、上記第２閾値（β１）よりも大きくなるように予め設定された第３閾値（β２）よりも大きいとき、上記第１除湿運転を選択することを特徴とする空気調和機。
【請求項４】
請求項１から３までのいずれか一項に記載の空気調和機において、
上記調整機構（１３，２４）は、上記室外熱交換器（２３）と上記室内熱交換器（１１）との間の冷媒経路に設けられた膨張機構（２４）と、上記室内熱交換器（１１）の冷媒経路の途中に設けられた制御弁（１３）とを有し、
上記第２除湿運転は、
上記室内熱交換器（１１）の一部を蒸発域にする一方、上記室内熱交換器（１１）の残りの部分を過熱域にする第３除湿運転と、
上記室内熱交換器（１１）において上記制御弁（１３）よりも上流側の部分を凝縮域とする一方、上記室内熱交換器（１１）において上記制御弁（１３）よりも下流側の部分を蒸発域とする第４除湿運転と
を含むことを特徴とする空気調和機。
【請求項５】
請求項１から４までのいずれか一項に記載の空気調和機において、
上記躯体の温度は、室内の壁、床および天井のうちの少なくとも１つの温度を使って算出された平均温度であることを特徴とする空気調和機。
【請求項６】
圧縮機（２１）と、室外熱交換器（２３）と、室内熱交換器（１１）と、上記室内熱交換器（１１）の蒸発域の大きさを調整する調整機構（１３，２４）とを有する冷媒回路（ＲＣ）と、
制御部（１００）と、
室内空気の温度を検出する第１温度センサ（５２）と、
室内空間を画定する躯体の温度を検出する第２温度センサ（５４）と
を備え、
上記制御部（１００）が上記冷媒回路を制御することにより、上記室内熱交換器（１１）の実質的に全部を蒸発域にする第１除湿運転と、上記室内熱交換器（１１）の一部を蒸発域にする第２除湿運転とが行われ、
上記制御部（１００）は、上記室内空気の温度と上記躯体の温度とを用いて、上記第１除湿運転および上記第２除湿運転のうちの一つを選択し、
上記制御部（１００）は、
上記室内空気の温度と上記躯体の温度との差が、予め設定された第１閾値（α２）よりも大きく、かつ、上記室内空気の温度と設定温度との差が、予め設定された第２閾値（β１）よりも小さいとき、上記第１除湿運転を選択する一方、
上記室内空気の温度と上記躯体の温度との差が上記第１閾値（α２）以下であり、かつ、上記室内空気の温度と設定温度との差が上記第２閾値（β１）よりも小さいとき、上記第２除湿運転を選択することを特徴とする空気調和システム。
【請求項７】
請求項６に記載の空気調和システムにおいて、
上記制御部（１００）は、上記室内空気の温度と上記躯体の温度との差が上記第１閾値（α２）よりも大きく、かつ、上記室内空気の温度と上記設定温度との差が上記第２閾値（β１）以上になるとき、上記第１除湿運転を選択することを特徴とする空気調和システム。
【請求項８】
請求項６または７に記載の空気調和システムにおいて、
上記制御部（１００）は、
上記室内空気の温度と上記躯体の温度との差が上記第１閾値（α２）以下であり、かつ、上記室内空気の温度と設定温度との差が、上記第２閾値（β１）よりも大きくなるように予め設定された第３閾値（β２）よりも大きいとき、上記第１除湿運転を選択することを特徴とする空気調和システム。
【請求項９】
請求項６から８までのいずれか一項に記載の空気調和システムにおいて、
上記調整機構（１３，２４）は、上記室外熱交換器（２３）と上記室内熱交換器（１１）との間の冷媒経路に設けられた膨張機構（２４）と、上記室内熱交換器（１１）の冷媒経路の途中に設けられた制御弁（１３）とを有し、
上記第２除湿運転は、
上記室内熱交換器（１１）の一部を蒸発域にする一方、上記室内熱交換器（１１）の残りの部分を過熱域にする第３除湿運転と、
上記室内熱交換器（１１）において上記制御弁（１３）よりも上流側の部分を凝縮域とする一方、上記室内熱交換器（１１）において上記制御弁（１３）よりも下流側の部分を蒸発域とする第４除湿運転と
を含むことを特徴とする空気調和システム。
【請求項１０】
請求項６から９までのいずれか一項に記載の空気調和システムにおいて、
上記躯体の温度は、室内の壁、床および天井のうちの少なくとも１つの温度を使って算出された平均温度であることを特徴とする空気調和システム。
【請求項１１】
請求項６から１０までのいずれか一項に記載の空気調和システムにおいて、
空気調和機（２０１）と、
上記空気調和機（２０１）と電気通信網（２０５）を介して通信可能なサーバ（２０５）と
を備え、
上記冷媒回路（ＲＣ）および上記第１温度センサ（５２）は、上記空気調和機（２０１）に設けられ、
上記制御部（２２１）は、上記サーバ（２０２）に設けられていることを特徴とする空気調和システム。
【請求項１２】
請求項１１に記載の空気調和システムにおいて、
上記第２温度センサ（５２）は、上記空気調和機（２０１）外の上記室内空間に設置され、
上記空気調和機（２０１）は、上記第２温度センサ（５４）から、上記躯体の温度を示す信号を、上記電気通信網（２０５）およびサーバ（２０２）を介して受信するか、上記電気通信網（２０５）およびサーバ（２０２）を介さないで直接受信することを特徴とする空気調和システム。
【請求項１３】
請求項６から１０までのいずれか一項に記載の空気調和システムにおいて、
空気調和機（２０１）と、
上記空気調和機（２０１）と電気通信網（２０５）を介して通信可能なサーバ（２０２）と
を備え、
上記第２温度センサ（５２）は、上記空気調和機（２０１）外の上記室内空間に設置され、
上記空気調和機（２０１）は、上記第２温度センサ（５４）から、上記躯体の温度を示す信号を、上記電気通信網（２０５）およびサーバ（２０２）を介して受信するか、上記電気通信網（２０５）およびサーバ（２０２）を介さないで直接受信することを特徴とする空気調和システム。
【手続補正２】
【補正対象書類名】明細書
【補正対象項目名】全文
【補正方法】変更
【補正の内容】
【発明の詳細な説明】
【技術分野】
【０００１】
本開示は、空気調和機および空気調和システムに関する。
【背景技術】
【０００２】
従来、空気調和機としては、特許文献１に開示されているように、顕熱能力が互いに異なる複数の除湿運転を行うものがある。
【先行技術文献】
【特許文献】
【０００３】
【特許文献１】特開２００４−１０８６１８号公報
【発明の概要】
【発明が解決しようとする課題】
【０００４】
上記従来の空気調和機では、室内空気の除湿時、複数の除湿運転のうちの一つが不適切に選択されて行われることがある。このため、運転切り替えが頻繁に起こるという問題があった。
【０００５】
本開示の課題は、室内空気の除湿時、運転切り替えを減らすことができる空気調和機および空気調和システムを提供することにある。
【課題を解決するための手段】
【０００６】
本開示の空気調和機は、
圧縮機と、室外熱交換器と、室内熱交換器と、上記室内熱交換器の蒸発域の大きさを調整する調整機構とを有する冷媒回路と、
制御部と、
室内空気の温度を検出する第１温度センサと、
室内空間を画定する躯体の温度を検出する第２温度センサと
を備え、
上記制御部が上記冷媒回路を制御することにより、上記室内熱交換器の実質的に全部を蒸発域にする第１除湿運転と、上記室内熱交換器の一部を蒸発域にする第２除湿運転とが行われ、
上記制御部は、上記室内空気の温度と上記躯体の温度とを用いて、上記第１除湿運転および上記第２除湿運転のうちの一つを選択し、
上記制御部は、
上記室内空気の温度と上記躯体の温度との差が、予め設定された第１閾値よりも大きく、かつ、上記室内空気の温度と設定温度との差が、予め設定された第２閾値よりも小さいとき、上記第１除湿運転を選択する一方、
上記室内空気の温度と上記躯体の温度との差が上記第１閾値以下であり、かつ、上記室内空気の温度と設定温度との差が上記第２閾値よりも小さいとき、上記第２除湿運転を選択する。
【０００７】
上記構成によれば、上記第１除湿運転および第２除湿運転のうちの一つを選択するとき、室内空気の温度だけでなく、躯体の温度も用いるので、その選択の妥当性を上げることができる。したがって、室内空気の除湿時、運転切り替えを減らすことができる。
【０００８】
【０００９】
また、上記室内空気の温度と躯体の温度との差が第１閾値よりも大きく、かつ、室内空気の温度と設定温度との差が第２閾値よりも小さいとき、第１除湿運転が選択される。したがって、上記室内空気の温度と設定温度との差が第２閾値よりも小さいとき、第１除湿運転の選択の妥当性を上げることができる。
【００１０】
一態様の空気調和機では、
上記制御部は、上記室内空気の温度と上記躯体の温度との差が上記第１閾値よりも大きく、かつ、上記室内空気の温度と上記設定温度との差が、上記第２閾値以上になるとき、上記第１除湿運転を選択する。
【００１１】
上記態様によれば、上記室内空気の温度と躯体の温度との差が第１閾値よりも大きく、かつ、室内空気の温度と設定温度との差が第２閾値以上になるとき、第１除湿運転が選択される。したがって、上記室内空気の温度と設定温度との差に対応する大きな熱負荷を効果的に処理することができる。
一態様の空気調和機では、
上記制御部は、
上記室内空気の温度と上記躯体の温度との差が上記第１閾値以下であり、かつ、上記室内空気の温度と設定温度との差が、上記第２閾値よりも大きくなるように予め設定された第３閾値よりも大きいとき、上記第１除湿運転を選択する。
【００１２】
一態様の空気調和機では、
上記調整機構は、上記室外熱交換器と上記室内熱交換器との間の冷媒経路に設けられた膨張機構と、上記室内熱交換器の冷媒経路の途中に設けられた制御弁とを有し、
上記第２除湿運転は、
上記室内熱交換器の一部を蒸発域にする一方、上記室内熱交換器の残りの部分を過熱域にする第３除湿運転と、
上記室内熱交換器において上記制御弁よりも上流側の部分を凝縮域とする一方、上記室内熱交換器において上記制御弁よりも下流側の部分を蒸発域とする第４除湿運転と
を含む。
【００１３】
上記態様によれば、上記第２除湿運転は第３，第４除湿運転を含むので、比較的小さくも大きくもない熱負荷を第３除湿運転で処理することができると共に、比較的小さい熱負荷を第４除湿運転で処理することができる。
【００１４】
一態様の空気調和機では、
上記躯体の温度は、室内の壁、床および天井のうちの少なくとも１つの温度を使って算出された平均温度である。
【００１５】
上記態様によれば、上記室内の壁、床および天井のうちの少なくとも１つの温度を使って算出された平均温度を用いることにより、第１除湿運転、第２除湿運転および第３除湿運転の中から一つを適切に選択することができる。
【００１６】
本開示の空気調和システムは、
圧縮機と、室外熱交換器と、室内熱交換器と、上記室内熱交換器の蒸発域の大きさを調整する調整機構とを有する冷媒回路と、
制御部と、
室内空気の温度を検出する第１温度センサと、
室内空間を画定する躯体の温度を検出する第２温度センサと
を備え、
上記制御部が上記冷媒回路を制御することにより、上記室内熱交換器の実質的に全部を蒸発域にする第１除湿運転と、上記室内熱交換器の一部を蒸発域にする第２除湿運転とが行われ、
上記制御部は、上記室内空気の温度と上記躯体の温度とを用いて、上記第１除湿運転および上記第２除湿運転のうちの一つを選択し、
上記制御部は、上記室内空気の温度と上記躯体の温度との差が、予め設定された第１閾値よりも大きく、かつ、上記室内空気の温度と設定温度との差が、予め設定された第２閾値よりも小さいとき、上記第１除湿運転を選択すると共に、
上記室内空気の温度と上記躯体の温度との差が上記第１閾値以下であり、かつ、上記室内空気の温度と設定温度との差が上記第２閾値よりも小さいとき、上記第２除湿運転を選択する。
【００１７】
上記構成によれば、上記第１除湿運転および第２除湿運転のうちの一つを選択するとき、室内空気の温度だけでなく、躯体の温度も用いるので、その選択の妥当性を上げることができる。したがって、室内空気の除湿時、運転切り替えを減らすことができる。
【００１８】
【００１９】
また、上記室内空気の温度と躯体の温度との差が第１閾値よりも大きく、かつ、室内空気の温度と設定温度との差が第２閾値よりも小さいとき、第１除湿運転が選択される。したがって、上記室内空気の温度と設定温度との差が第２閾値よりも小さいとき、第１除湿運転の選択の妥当性を上げることができる。
一態様の空気調和システムでは、
上記制御部は、
上記室内空気の温度と上記躯体の温度との差が上記第１閾値以下であり、かつ、上記室内空気の温度と設定温度との差が、上記第２閾値よりも大きくなるように予め設定された第３閾値よりも大きいとき、上記第１除湿運転を選択する。
【００２０】
一態様の空気調和システムでは、
上記制御部は、上記室内空気の温度と上記躯体の温度との差が上記第１閾値よりも大きく、かつ、上記室内空気の温度と上記設定温度との差が上記第２閾値以上になるとき、上記第１除湿運転を選択する。
【００２１】
上記態様によれば、上記室内空気の温度と躯体の温度との差が第１閾値よりも大きく、かつ、室内空気の温度と設定温度との差が第２閾値以上になるとき、第１除湿運転が選択される。したがって、上記室内空気の温度と設定温度との差に対応する大きな熱負荷を効果的に処理することができる。
【００２２】
一態様の空気調和システムでは、
上記調整機構は、上記室外熱交換器と上記室内熱交換器との間の冷媒経路に設けられた膨張機構と、上記室内熱交換器の冷媒経路の途中に設けられた制御弁とを有し、
上記第２除湿運転は、
上記室内熱交換器の一部を蒸発域にする一方、上記室内熱交換器の残りの部分を過熱域にする第３除湿運転と、
上記室内熱交換器において上記制御弁よりも上流側の部分を凝縮域とする一方、上記室内熱交換器において上記制御弁よりも下流側の部分を蒸発域とする第４除湿運転と
を含む。
【００２３】
上記態様によれば、上記第２除湿運転は第３，第４除湿運転を含むので、比較的小さくも大きくもない熱負荷を第３除湿運転で処理することができると共に、比較的小さい熱負荷を第４除湿運転で処理することができる。
【００２４】
一態様の空気調和システムでは、
上記躯体の温度は、室内の壁、床および天井のうちの少なくとも１つの温度を使って算出された平均温度である。
【００２５】
上記態様によれば、上記室内の壁、床および天井のうちの少なくとも１つの温度を使って算出された平均温度を用いることにより、第１除湿運転、第２除湿運転および第３除湿運転の中から一つを適切に選択することができる。
【００２６】
一態様の空気調和システムは、
空気調和機と、
上記空気調和機と電気通信網を介して通信可能なサーバと
を備え、
上記冷媒回路および上記第１温度センサは、上記空気調和機に設けられ、
上記制御部は、上記サーバに設けられている。
【００２７】
上記態様によれば、上記制御部をサーバに設けることにより、空気調和機を外部から制御して、空気調和機に第１除湿運転または第２除湿運転を行わせることができる。
【００２８】
一態様の空気調和システムでは、
上記第２温度センサは、上記空気調和機外の上記室内空間に設置され、
上記空気調和機は、上記第２温度センサから、上記躯体の温度を示す信号を、上記電気通信網およびサーバを介して受信するか、上記電気通信網およびサーバを介さないで直接受信する。
【００２９】
上記態様によれば、上記第２温度センサは空気調和機外の上記室内空間に設置されているので、空気調和機が躯体の温度を検出する機能を有していなくても、空気調和機に第１除湿運転または第２除湿運転を行わせることができる。
【００３０】
また、上記空気調和機は、第２温度センサから、躯体の温度を示す信号を、電気通信網およびサーバを介して受信するので、サーバが躯体の温度を把握することができる。
【００３１】
また、上記空気調和機は、第２温度センサから、躯体の温度を示す信号を、電気通信網およびサーバを介さないで直接受信するので、電気通信網およびサーバの状態に関係なく、躯体の温度を示す信号を受信することができる。
【００３２】
一態様の空気調和システムは、
空気調和機と、
上記空気調和機と電気通信網を介して通信可能なサーバと
を備え、
上記第２温度センサは、上記空気調和機外の上記室内空間に設置され、
上記空気調和機は、上記第２温度センサから、上記躯体の温度を示す信号を、上記電気通信網およびサーバを介して受信するか、上記電気通信網およびサーバを介さないで直接受信する。
【００３３】
上記態様によれば、上記第２温度センサは空気調和機外の上記室内空間に設置されているので、空気調和機が躯体の温度を検出する機能を有していなくても、空気調和機に第１除湿運転または第２除湿運転を行わせることができる。
【００３４】
また、上記空気調和機は、第２温度センサから、躯体の温度を示す信号を、電気通信網およびサーバを介して受信するので、サーバが躯体の温度を把握することができる。
【００３５】
また、上記空気調和機は、第２温度センサから、躯体の温度を示す信号を、電気通信網およびサーバを介さないで直接受信するので、電気通信網およびサーバの状態に関係なく、躯体の温度を示す信号を受信することができる。
【図面の簡単な説明】
【００３６】
【図１】本開示の第１実施形態の空気調和機の冷媒回路の回路図である。
【図２】上記空気調和機の制御ブロック図である。
【図３】上記空気調和機の冷房除湿運転を説明するための模式図である。
【図４】上記空気調和機の過絞り除湿運転を説明するための模式図である。
【図５】上記空気調和機の再熱除湿運転を説明するための模式図である。
【図６】上記空気調和機の冷房除湿運転、過絞り除湿運転および再熱除湿運転に関するモリエル線図である。
【図７】上記空気調和機の除湿運転の選択を説明するためのグラフである。
【図８】上記空気調和機の除湿運転を選択するための制御に関するフローチャートである。
【図９】本開示の第２実施形態の空気調和システムの概略構成図である。
【発明を実施するための形態】
【００３７】
以下、本開示の空気調和機を、図示の実施の形態により詳細に説明する。
【００３８】
〔第１実施形態〕
図１は、本開示の第１実施形態の空気調和機が備える冷媒回路ＲＣの回路図である。
【００３９】
上記空気調和機は、空調対象である室内空間に設置される室内機１と、室外に設置される室外機２とを備える。
【００４０】
室内機１は、例えば、室内の壁面に取り付けられる壁掛け式の室内ユニットである。この室内機１は、室内熱交換器１１と、この室内熱交換器１１に空気を送る室内ファン１２とを有する。
【００４１】
室内熱交換器１１は、室内ファン１２による空気流に関して、室内ファン１２よりも上流側に位置している。この室内熱交換器１１は、空気と冷媒との熱交換を行うために、本体熱交換部１１ａと、補助熱交換部１１ｂとを有する。
【００４２】
本体熱交換部１１ａは、正面部１１ａ−１および背面部１１ａ−２から成っている。正面部１１ａ−１は、室内ユーザ側に位置する一方、背面部１１ａ−２は、室内ユーザ側とは反対側に位置する。別の言い方をすると、背面部１１ａ−２は、室内機１が取り付けられる壁側に位置する一方、正面部１１ａ−１は、その壁側とは反対側に位置する。また、正面部１１ａ−１は、冷媒配管Ｌ１，Ｌ２などを介して背面部１１ａ−２に流体的に接続されている。これにより、膨張弁２４から本体熱交換部１１ａへ流れる冷媒は、正面部１１ａ−１を流れた後、背面部１１ａ−２に流入する。
【００４３】
補助熱交換部１１ｂは、本体熱交換部１１ａの正面部１１ａ−１に関して、本体熱交換部１１ａの背面部１１ａ−２側とは反対側に設けられている。別の言い方をすると、補助熱交換部１１ｂは、本体熱交換部１１ａの正面部１１ａ−１よりも、室内ユーザ側に位置する。この補助熱交換部１１ｂは、本体熱交換部１１ａよりも、容積が小さい。また、補助熱交換部１１ｂは、冷媒配管Ｌ１１を介して本体熱交換部１１ａの正面部１１ａ−１に流体的に接続されている。これにより、膨張弁２４側からの冷媒は、補助熱交換部１１ｂを介して、本体熱交換部１１ａに供給される。このように、補助熱交換部１１ｂは、冷媒配管Ｌ３と冷媒配管Ｌ１１との間の冷媒経路を有するものと言える。
【００４４】
室内ファン１２としては、例えば、クロスフローファンが採用される。このクロスフローファンは、室内熱交換器１１で温度などが調整された空気を室内に向けて吹き出す。
【００４５】
また、室内熱交換器１１の冷媒経路の途中には、制御弁の一例としての電磁弁１３が設けられている。この電磁弁１３は、本体熱交換部１１ａの正面部１１ａ−１側と本体熱交換部１１ａの背面部１１ａ−２側との間の差圧を設定する。より詳しく説明すると、電磁弁１３は、大開度および小開度の２位置のみを取ることが可能なオンオフ弁であり、必要時(例えば、後述する再熱除湿運転時)にオンされ、大開度の位置から小開度の位置に切り替えられる。
【００４６】
また、室内機１は、室内熱交換器１１の温度を検出する室内熱交換器温度センサ５１と、室内空気の温度（以下、「室内温度」という。）を検出する室内温度センサ５２と、室内湿度を検出する室内湿度センサ５３と、躯体温度センサ５４とを有する。なお、室内温度センサ５２は、第１温度センサの一例である。また、躯体温度センサ５４は、第２温度センサの一例である。
【００４７】
躯体温度センサ５４は、上記室内空間を画定する壁の温度を検出する。躯体温度センサ５４としては、例えば、室内機１の前方（室内機１が取り付けられる壁とは反対側）からの赤外線を受ける赤外線センサなどが使用される。ここで、上記壁は、上記室内空間を画定する例えば４つの壁のうちの一つであって、室内機１が取り付けられる壁に対向する壁（以下、「前方の壁」という。）を意味する。
【００４８】
室外機２は、圧縮機２１と、四路切換弁２２と、室外熱交換器２３と、膨張機構の一例としての膨張弁２４と、アキュムレータ２５と、室外熱交換器２３に空気を送る室外ファン２６とを有する。さらに、室外機２は、室外熱交換器２３の温度を検出する室外熱交換器温度センサ５６と、外気温度を検出する外気温度センサ５７と、膨張弁２４で減圧された冷媒の温度（蒸発温度）を検出する冷媒温度センサ５８とを有する。
【００４９】
室外熱交換器２３は、室外ファン２６による空気流に関して、室外ファン２６よりも上流側に位置している。
【００５０】
膨張弁２４は、互いに異なる３以上の開度に調整可能な例えば電動弁であって、制御装置１００(図２に示す)からの信号に応じて開度が変化する。
【００５１】
また、上記空気調和機の冷媒回路ＲＣは、室内熱交換器１１、電磁弁１３、圧縮機２１、四路切換弁２２、室外熱交換器２３、膨張弁２４、アキュムレータ２５および冷媒配管Ｌ３〜Ｌ９から成っている。より詳しく説明すると、室内熱交換器１１、圧縮機２１、四路切換弁２２、室外熱交換器２３、膨張弁２４およびアキュムレータ２５が、冷媒配管Ｌ３〜Ｌ９によって流体的に接続される。これにより、環状の冷媒回路ＲＣが構成されている。このような冷媒回路ＲＣにおいて、圧縮機２１の駆動時、冷媒が循環する。
【００５２】
外気温度センサ５７は、室外ファン２６による空気流に関して、室外熱交換器２３よりも上流側に位置している。別の言い方をすると、室外ファン２６の駆動時、室外熱交換器２３と熱交換する前の室外空気が外気温度センサ５７を経由するようになっている。
【００５３】
また、図示しないが、上記空気調和機は、リモートコントローラ(以下、「リモコン」と言う。)を備える。ユーザは、リモコンを操作して、自動運転、冷房運転、暖房運転、除湿運転などを開始させたり、停止させたりすることができる。上記リモコンは、ユーザの操作に応じて室内機１と例えば無線通信を行う。
【００５４】
図２は、上記空気調和機の制御ブロック図である。
【００５５】
上記空気調和機は、冷媒回路ＲＣを制御する制御装置１００を備える。より詳しく説明すると、制御装置１００は、マイクロコンピュータ、入出力回路などから成っている。この制御装置１００が、室内熱交換器温度センサ５１、室内温度センサ５２、室内湿度センサ５３、躯体温度センサ５４、室外熱交換器温度センサ５６、外気温度センサ５７、冷媒温度センサ５８などからの信号に基づいて、圧縮機２１、四路切換弁２２、膨張弁２４、室外ファン２６、室内ファン１２、電磁弁１３などを制御する。なお、制御装置１００は制御部の一例である。
【００５６】
また、制御装置１００は、冷房除湿運転を行うための冷房除湿運転制御部１００ａと、過絞り除湿運転を行うための過絞り除湿運転制御部１００ｂと、再熱除湿運転を行うための再熱除湿運転制御部１００ｃとを有する。この冷房除湿運転制御部１００ａ、過絞り除湿運転制御部１００ｂおよび再熱除湿運転制御部１００ｃは、それぞれ、ソフトウェアにより構成されている。なお、上記冷房除湿運転は、第１除湿運転の一例である。また、上記過絞り除湿運転および再熱除湿運転は、第２除湿運転の一例である。また、上記過絞り除湿運転は、第３除湿運転の一例である。また、上記再熱除湿運転は、第４除湿運転の一例である。
【００５７】
［冷房除湿運転］
上記冷房除湿運転は、図１に示すように、四路切換弁２２を実線の切換え位置に切り換えると共に、圧縮機２１を起動することで、開始される。この冷房除湿運転中、圧縮機２１から吐出された高温高圧の冷媒が四路切換弁２２を介して室外熱交換器２３に流入する。そして、室外熱交換器２３で凝縮した冷媒は、膨張弁２４で減圧された後、室内熱交換器１１の補助熱交換部１１ｂと、室内熱交換器１１の本体熱交換部１１ａとに、この順で流入する。この本体熱交換部１１ａおよび補助熱交換部１１ｂで蒸発した冷媒が四路切換弁２２およびアキュムレータ２５を介して圧縮機２１の吸入側に戻る。このように、冷媒が冷媒回路ＲＣを循環するとき、冷房除湿運転制御部１００ａが、圧縮機２１の周波数と膨張弁２４の開度とを調整すると共に、電磁弁１３をオフにすることで、図３に示すように、室内熱交換器１１の実質的に全部を蒸発域(図３において斜線のハッチングを付した領域)とする。これにより、上記冷房除湿運転は、室内温度を変化させるための能力である顕熱能力が高くなる。
【００５８】
ここで、室内熱交換器１１の実質的に全部を蒸発域にするとは、室内熱交換器１１の全部を蒸発域にするときだけでなく、室内熱交換器１１において一部を除いた部分だけを蒸発域にするときも含む。この一部(例えば、室内熱交換器１１の全容積の１／３以下の部分)だけが蒸発域とならないときとしては、例えば、室内環境などによって、室内熱交換器１１の冷媒出口近傍の部分が過熱域となるときなどがある。
【００５９】
［過絞り除湿運転］
上記過絞り除湿運転は、上記冷房除湿運転のときと同じ方向に冷媒を流す。このとき、過絞り除湿運転制御部１００ｂが、圧縮機２１の周波数と膨張弁２４の開度とを調整すると共に、電磁弁１３をオフにすることで、図４に示すように、補助熱交換部１１ｂを蒸発域(斜線のハッチングを付した領域)にする一方、本体熱交換部１１ａの正面部１１ａ−１および背面部１１ａ−２を過熱域(点のハッチングを付した領域)にする。これにより、上記過絞り除湿運転は、冷房除湿運転によりも顕熱能力が低くなるので、室内の熱負荷が高くも低くもないとき、室温の低下を抑制しつつ、室内の除湿を行える。
【００６０】
また、過絞り除湿運転制御部１００ｂは、過絞り除湿運転中、蒸発域が所定容積(例えば、室内熱交換器１１の全容積の２／３)以下となるように、圧縮機２１および膨張弁２４を制御する。
【００６１】
［再熱除湿運転］
上記再熱除湿運転は、上記冷房除湿運転のときと同じ方向に冷媒を流す。このとき、再熱除湿運転制御部１００ｃが、圧縮機２１の周波数と膨張弁２４の開度とを調整すると共に、電磁弁１３をオンにすることで、図５に示すように、補助熱交換部１１ｂと本体熱交換部１１ａの正面部１１ａ−１とを凝縮域(格子のハッチングを付した領域)にする一方、本体熱交換部１１ａの背面部１１ａ−２を蒸発域(斜線のハッチングを付した領域)にする。これにより、上記再熱除湿運転は、過絞り除湿運転よりも顕熱能力が低くなるので、室内の熱負荷が低いとき、室温の低下を抑制しつつ、室内の除湿を行える。
【００６２】
また、上記再熱除湿運転では、電磁弁１３は、小開度の位置に切り替えられる。より詳しく説明すると、上記再熱除湿運転における電磁弁１３の開度は、空気流量が１０Ｌ／ｍｉｎ未満に相当する開度である。上記再熱除湿運転における電磁弁１３の開度は、空気流量が３．５Ｌ／ｍｉｎ以上５Ｌ／ｍｉｎ以下に相当する開度であれば好ましい。ここで、「上記再熱除湿運転における電磁弁１３の開度が、空気流量が１０Ｌ／ｍｉｎ未満に相当する開度である」とは、上記開度において冷媒回路ＲＣを流れる空気流量が１０Ｌ／ｍｉｎ未満であることをいうのではなく、電磁弁１３の流量特性から求められる上記開度における空気流量が１０Ｌ／ｍｉｎ未満であることをいう。
【００６３】
図６は、上記空気調和機の冷房除湿運転時、過絞り除湿運転時および再熱除湿運転時のモリエル線図である。
【００６４】
過絞り除湿運転制御部１００ｂの制御は、過絞り除湿運転の蒸発温度は、冷房除湿運転の蒸発温度よりも低くなるように行われる。このとき、膨張弁２４の開度は、通常、冷房除湿運転中の膨張弁２４の開度よりも小さくなる。
【００６５】
再熱除湿運転制御部１００ｃの制御は、原則、再熱除湿運転の蒸発温度が過絞り除湿運転の蒸発温度よりも低くなるように行われる。このとき、膨張弁２４の開度は、過絞り除湿運転中における膨張弁２４の最大開度よりも大きい開度に固定される。
【００６６】
図７は、冷房除湿運転、過絞り除湿運転および再熱除湿運転から一つが選択されて行われるとき、この選択がどのように行われるのかを説明するためのグラフである。
【００６７】
制御装置１００は、躯体温度センサ５４によって検出された壁の温度と、室内温度センサ５２によって検出された室内温度との差Ｙを算出すると共に、その室内温度と設定温度との差Ｘを算出する。室内温度と躯体の温度との差Ｙは、予め設定された閾値α１，α２と比較される一方、室内温度と設定温度との差Ｘは、予め設定された閾値β１，β２と比較される。この比較の結果に基づいて、図７および下記（１）〜（７）に示すように、冷房除湿運転、過絞り除湿運転および再熱除湿運転のうちの一つが、選択される。なお、上記設定温度は、メーカ側で空気調和機の出荷前に設定されているが、ユーザが例えばリモコンなどで変更可能になっている。また、α２は、α１よりも大きく、第１閾値の一例である。β１は、第２閾値の一例である。
【００６８】
（１）  Ｙ＞α２，Ｘ＜β１
制御装置１００は、室内温度と躯体の温度との差Ｙが、閾値α２よりも大きく、かつ、室内温度と設定温度との差Ｘが、閾値β１よりも小さいとき、冷房除湿運転を選択する。
【００６９】
（２）  Ｙ＞α２，Ｘ＞β２
制御装置１００は、室内温度と躯体の温度との差Ｙが、閾値α２よりも大きく、かつ、室内温度と設定温度との差Ｘが、閾値β２よりも大きいとき、冷房除湿運転を選択する。
【００７０】
（３）  Ｙ＞α２，β１≦Ｘ≦β２
制御装置１００は、室内温度と躯体の温度との差Ｙが閾値α２よりも大きく、かつ、室内温度と設定温度との差Ｘが、閾値β１以上であって閾値β２以下であるとき、冷房除湿運転を選択する。
【００７１】
（４）  Ｙ＜α１，Ｘ＜β１
制御装置１００は、室内温度と躯体の温度との差Ｙが、閾値α１よりも小さく、かつ、室内温度と設定温度との差Ｘが、閾値β１よりも小さいとき、再熱除湿運転を選択する。
【００７２】
（５）  Ｙ＜α１，Ｘ＞β２
制御装置１００は、室内温度と躯体の温度との差Ｙが、閾値α１よりも小さく、かつ、室内温度と設定温度との差Ｘが、閾値β２よりも大きいとき、冷房除湿運転を選択する。
【００７３】
（６）  Ｙ＜α１，β１≦Ｘ≦β２
制御装置１００は、室内温度と躯体の温度との差Ｙが、閾値α１よりも小さく、かつ、室内温度と設定温度との差Ｘが、閾値β１以上であって閾値β２以下であるとき、過絞り除湿運転を選択する。
【００７４】
（７）  α１≦Ｙ≦α２，Ｘ＜β１
制御装置１００は、室内温度と躯体の温度との差Ｙが、閾値α１以上であって閾値α２以下であり、かつ、室内温度と設定温度との差Ｘが、閾値β１よりも小さいとき、過絞り除湿運転を選択する。
【００７５】
（８）  α１≦Ｙ≦α２，Ｘ＞β２
制御装置１００は、室内温度と躯体の温度との差Ｙが、閾値α１以上であって閾値α２以下であり、かつ、室内温度と設定温度との差Ｘが、閾値β２よりも大きいとき、冷房除湿運転を選択する。
【００７６】
（９）  α１≦Ｙ≦α２，β１≦Ｘ≦β２
制御装置１００は、室内温度と躯体の温度との差Ｙが、閾値α１以上であって閾値α２以下であり、かつ、室内温度と設定温度との差Ｘが、閾値β１以上であって閾値β２以下であるとき、過絞り除湿運転を選択する。
【００７７】
以下、図９のフローチャートを用いて、冷房除湿運転、過絞り除湿運転および再熱除湿運転のうちの一つを選択するための制御について説明する。
【００７８】
上記制御がスタートすると、まず、ステップＳ１で、リモコンの除湿運転のボタンが押下されたか否かを判定する。このステップＳ１は、除湿運転のボタンが押下されと判定されるまで繰り返される。
【００７９】
次に、ステップＳ２で、室内湿度は設定湿度よりも高いか否かを判定する。このステップＳ２で、室内湿度が設定湿度よりも高いと判定されると、次のステップＳ３に進む一方、室内湿度が設定湿度よりも高くないと判定されると、上記制御はエンドとなる。なお、上記設定湿度は、設定温度と同様に、メーカ側で空気調和機の出荷前に設定されているが、ユーザが例えばリモコンなどで変更可能になっている。
【００８０】
最後に、ステップＳ３で、室内温度と設定温度との差Ｘを算出すると共に、室内温度と躯体の温度との差Ｙを算出した後、この差Ｘ，Ｙに基づいて、冷房除湿運転、過絞り除湿運転および再熱除湿運転のうちの一つを選択する。別の言い方をすると、差Ｘ，Ｙが図７のグラフのどの領域に入るかを判定して、差Ｘ，Ｙが入る領域に対応する除湿運転を選択する。
【００８１】
このように、制御装置１００が、冷房除湿運転、過絞り除湿運転および再熱除湿運転のうちの一つを選択するとき、室内空気の温度だけでなく、躯体の温度も考慮するので、その選択の妥当性を上げることができる。したがって、室内空気の除湿時、冷房除湿運転、過絞り除湿運転および再熱除湿運転のうちの一つを選択した後、運転の切り替え回数を減らすことができる。
【００８２】
また、上記室内温度と躯体の温度との差Ｙが閾値α２よりも大きく、かつ、室内温度と設定温度との差Ｘが閾値β１よりも小さいとき、熱負荷が大きいと判定されて、冷房除湿運転が選択される。したがって、上記室内温度と設定温度との差Ｘが閾値β１よりも小さいとき、冷房除湿運転の選択の妥当性を上げることができる。
【００８３】
これに対して、上記室内温度と躯体の温度との差Ｙを考慮しなければ、室内温度と設定温度との差Ｘが閾値β１よりも小さいため、熱負荷が小さいと間違って判定されて、再熱除湿運転が選択されてしまう。ここで、上記再熱除湿運転が選択されると、除湿運転の時間が長くなってしまう恐れがある。
【００８４】
また、上記室内温度と躯体の温度との差Ｙが閾値α２よりも大きく、かつ、室内温度と設定温度との差Ｘが閾値β２よりも大きいとき、冷房除湿運転が選択される。したがって、上記差Ｘに対応する大きな熱負荷を効果的に処理することができる。
【００８５】
また、上記室内温度と躯体の温度との差Ｙが閾値α２よりも大きく、かつ、室内温度と設定温度との差Ｘが閾値β１以上であって閾値β２以下であるとき、冷房除湿運転が選択される。したがって、上記室内温度と設定温度との差Ｘが閾値β１以上であって閾値β２以下であるとき、冷房除湿運転の選択の妥当性を上げることができる。
【００８６】
これに対して、上記室内温度と躯体の温度との差Ｙを考慮しなければ、室内温度と設定温度との差Ｘが閾値β１以上であって閾値β２以下であるいため、熱負荷が小さくも大きくもないと間違って判定されて、過絞り除湿運転が選択されてしまう。ここで、上記過絞り除湿運転が選択されると、除湿運転の時間が長くなってしまう恐れがある。
【００８７】
また、上記空気調和機は、冷房除湿運転の他に、過絞り除湿運転および再熱除湿運転も行えるので、比較的小さくも大きくもない熱負荷を過絞り除湿運転で処理することができると共に、比較的小さい熱負荷を再熱除湿運転で処理することができる。
【００８８】
上記第１実施形態では、躯体温度センサ５４は、前方の壁の温度を検出していたが、例えば、室内機１が取り付けられる壁（以下、「後方の壁」という。）の温度、または、後方の壁に連なって室内機１の側方に位置する壁（以下、「側方の壁」）の温度を検出してもよい。
【００８９】
上記第１実施形態では、制御装置１００は、冷房除湿運転、過絞り除湿運転および再熱除湿運転のうちの一つを選択するために、前方の壁の温度を用いていたが、例えば、１つの前方の壁の温度と、１つの後方の壁と、２つの側方の壁との平均温度を用いてもよい。例えば、上記平均温度は、それら４つの壁の温度の総和を４で割って求めてもよい。
【００９０】
上記第１実施形態では、躯体温度センサ５４は、前方の壁の温度を検出していたが、室内機１が設置される室内空間を画定する床の温度を検出するようにしてもよい。このようにする場合、上記床の複数箇所の温度から床の平均温度を算出して、冷房除湿運転、過絞り除湿運転および再熱除湿運転のうちの一つを選択するときに用いてもよい。例えば、床の１０箇所の温度から床の平均温度を算出する場合、床の１０箇所の温度を順次検出した後、それらの温度の総和を１０で割ってもよい。
【００９１】
上記第１実施形態では、躯体温度センサ５４は、前方の壁の温度を検出していたが、室内機１が設置される室内空間を画定する天井の温度を検出するようにしてもよい。このようにする場合、上記天井の複数箇所の温度から天井の平均温度を算出して、冷房除湿運転、過絞り除湿運転および再熱除湿運転のうちの一つを選択するときに用いてもよい。例えば、天井の１０箇所の温度から天井の平均温度を算出する場合、天井の１０箇所の温度を順次検出した後、それらの温度の総和を１０で割ってもよい。
【００９２】
上記第１実施形態では、制御装置１００は、冷房除湿運転、過絞り除湿運転および再熱除湿運転のうちの一つを選択するときに、前方の壁の温度を用いていたが、室内機１が設置される室内空間を画定する壁、床および天井のうちのうちの少なくとも２つの平均温度を用いてもよい。
【００９３】
上記第１実施形態では、リモコンの除湿運転のボタンが押下されると、冷房除湿運転、過絞り除湿運転および再熱除湿運転のうちの一つが選択されて行われていたが、リモコンの自動運転のボタンが押下されても、冷房除湿運転、過絞り除湿運転および再熱除湿運転のうちの一つが選択されて行われるようにしてもよい。ここで、上記自動運転とは、室内温度、室外温度などに基づいて、冷房運転、除湿運転、暖房運転などから一つが自動的に選択されて開始した後、自動的に他の空調運転に切り替わる運転を指す。
【００９４】
上記第１実施形態では、冷房除湿運転、過絞り除湿運転および再熱除湿運転のうちの一つを選択していたが、冷房除湿運転および過絞り除湿運転のうちの一つを選択するようにしたり、冷房除湿運転および再熱除湿運転のうちの一つを選択するようにしたりしてもよい。別の言い方をすれば、本開示は、冷房除湿運転および過絞り除湿運転を行えるが、再熱除湿運転を行えない空気調和機に適用をしてもよいし、冷房除湿運転および再熱除湿運転を行えるが、過絞り除湿運転を行えない空気調和機に適用してもよい。なお、
上記冷房除湿運転および過絞り除湿運転のうちの一つを選択する場合、上記（１）〜（３）の条件と同様の条件が成立したときは、冷房除湿運転を選択するようにしてもよい。
【００９５】
このような選択を行うことにより、室内空気の除湿時、冷房除湿運転または過絞り除湿運転を選択した後、運転の切り替え回数を減らすことができる。
【００９６】
上記冷房除湿運転および過絞り除湿運転を行えるが、再熱除湿運転を行えない空気調和機は、電磁弁１３のような制御弁を備えなくて済む。したがって、上記空気調和機は、製造コストの増加を抑制できる。
【００９７】
上記冷房除湿運転および再熱除湿運転のうちの一つを選択する場合、上記（１）〜（３）の条件と同様の条件が成立したときは、冷房除湿運転を選択するようにしてもよい。
【００９８】
このような選択を行うことにより、室内空気の除湿時、冷房除湿運転または再熱除湿運転を選択した後、運転の切り替え回数を減らすことができる。
【００９９】
上記第１実施形態では、室内熱交換器１１は、本体熱交換部１１ａと補助熱交換部１１ｂを有していたが、本体熱交換部１１ａを有する一方、補助熱交換部１１ｂを有さないようにしてもよい。このようにする場合、過絞り除湿運転時、本体熱交換部１１ａの一部だけが蒸発域となるようにすればよい。
【０１００】
上記第１実施形態では、本体熱交換部１１ａの正面部１１ａ−１と本体熱交換部１１ａの背面部１１ａ−２との間に、電磁弁１３を設けていたが、互いに異なる３以上の開度に調整可能な電動弁を制御弁の一例として設けてもよい。別の言い方をすれば、室内熱交換器１１の冷媒経路の途中に、膨張弁２４と同様の電磁弁を制御弁の一例として設けてもよい。
【０１０１】
上記第１実施形態において、制御装置１００は、室内機１側の室内制御部(図示せず)と、室外機２側の室外制御部(図示せず)とで構成されてもよいし、上記室内制御部のみで構成されるようにしてもよいし、上記室外制御部のみで構成されてもよい。別の言い方をすれば、制御装置１００は、一部が室内機１に搭載され、かつ、残りの他の部分が室外機２に搭載されるようにしてもよいし、全部が室内機１に搭載されるようにしてもよいし、全部が室外機２に搭載されるようにしてもよい。
【０１０２】
上記第１実施形態では、空気調和機は、制御装置１００を備えていたが、制御装置１００を備えないようにしてもよい。このようにする場合、空気調和機以外の装置などに搭載された制御装置を制御部の一例として用いてもよい。但し、上記空気調和機が制御装置１００を備えないようにする場合よりも、上記空気調和機が制御装置１００を備えるようにする方が、空気調和機のみで空調運転を制御できる点で好ましい。
【０１０３】
上記第１実施形態では、空気調和機は、躯体温度センサ５４を備えていたが、躯体温度センサ５４を備えないようにしてもよい。このようにする場合、空気調和機以外の装置などに搭載された躯体温度センサを第２温度センサの一例として用いてもよい。但し、上記空気調和機が躯体温度センサ５４を備えないようにする場合よりも、上記空気調和機が躯体温度センサ５４を備えるようにする場合の方が、空気調和機のみで躯体の温度を検出できる点で好ましい。
【０１０４】
〔第２実施形態〕
図９は、本開示の第２実施形態の空気調和システムの概略構成図である。
【０１０５】
上記空気調和システムは、空気調和機２０１と、この空気調和機２０１と通信可能なサーバ２０２と、このサーバ２０２と通信可能な通信端末２０３とを備える。
【０１０６】
図９では図示していないが、空気調和機２０１は、上記第１実施形態と同様に、図１の冷媒回路ＲＣ、室内温度センサ５２、躯体温度センサ５４などを備えている。この空気調和機２０１は、制御装置１００（図２示す）のような制御装置を備えていない点と、無線通信モジュール２１１を備えている点とを除くと、上記第１実施形態の空気調和機と同様に構成されている。
【０１０７】
無線通信モジュール２１１は、無線アクセスポイント２０４との間で無線通信を行う。より詳しくは、無線通信モジュール２１１は、Wi-Fi(登録商標)、Bluetooth（登録商標）、NFC（Near Field Communication）などの通信規格を用いる部品であって、無線アクセスポイント２０４を介して、サーバ２０２へ信号を送ったり、サーバ２０２から信号を受けたりする。このとき、サーバ２０２と無線アクセスポイント２０４の間の通信は、電気通信網２０５を介して行われる。無線アクセスポイント２０４は、空気調和機２０１で空調される部屋を有する建物内に設置されている。なお、無線アクセスポイント２０４の一例としは、無線ＬＡＮ（Local Area Network）ルーターがある。
【０１０８】
サーバ２０２は制御装置２２１を有する。この制御装置２２１は、制御装置１００（図２示す）と同様の構成を有し、空気調和機２０１の冷媒回路ＲＣを制御する。より詳しくは、空気調和機２０１は、制御装置２２１からの信号を無線通信モジュール２１１で受けることにより、冷房除湿運転、過絞り除湿運転および再熱除湿運転から一つを行う。なお、上記冷房除湿運転、過絞り除湿運転および再熱除湿運転の開始条件は、上記第１実施形態と同様である。
【０１０９】
通信端末２０３は、電気通信網２０５を介してサーバ２０２と通信を行うことにより、上記建物内外から空気調和機２０１を操作することが可能である。このような通信端末２０３としては、例えば、スマートフォン（smartphone：多機能携帯電話)、ノートパソコン、タブレット端末などのモバイル情報端末がある。
【０１１０】
上記構成の空気調和システムは、上記第１実施形態の空気調和機と同様の作用効果を奏する。
【０１１１】
また、サーバ２０２が制御装置２２１を有することにより、空気調和機２０１を上記建物外から制御して、空気調和機２０１に、冷房除湿運転、過絞り除湿運転または再熱除湿運転を行わせることができる。
【０１１２】
上記第２実施形態では、空気調和機２０１は、躯体温度センサ５４を有していたが、躯体温度センサ５４を有さないようにしてもよい。このようにする場合、空気調和機２０１以外の装置などに搭載された躯体温度センサを利用してもよい。この躯体温度センサの利用により、空気調和機２０１の製造コストを下げることができる。
【０１１３】
また、躯体温度センサ５４は空気調和機２０１外の室内空間に設置されるようにした場合、躯体の温度を検出する機能を有さない空気調和機に対しても、冷房除湿運転、過絞り除湿運転または再熱除湿運転を行わせることができる。
【０１１４】
上記第２実施形態では、空気調和機２０１が制御装置を有さないで、サーバ２０２が制御装置２２１を有していたが、空気調和機が第１制御装置を有し、サーバ２０２が第２制御装置を有するようにしてもよい。このようにする場合、例えば、第１制御装置が第２制御装置と共同することにより、制御装置２２１と同様の動作を行えるようにしてもよい。
【０１１５】
なお、空気調和装置２０１が躯体温度センサ５４を有さない場合は、躯体温度センサ５４または躯体温度センサ５４が搭載された装置は、サーバ２０２を介して空気調和装置２０１と接続されて、壁などの温度を示す信号を空気調和装置２０１へ送信してもよいし、無線通信モジュール２１１によって直接空気調和装置２０１に接続されて、壁などの温度を示す信号を空気調和装置２０１へ送信してもよい。
【０１１６】
また、空気調和機２０１が、躯体温度センサ５４から、躯体の温度を示す信号を、電気通信網２０５およびサーバ２０２を介して受信する場合、サーバ２０２が躯体の温度を把握することができる。
【０１１７】
また、空気調和機２０２が、躯体温度センサ５４から、躯体の温度を示す信号を、電気通信網２０５およびサーバ２０２を介さないで直接受信する場合、電気通信網２０５およびサーバ２０２の状態に関係なく、躯体の温度を示す信号を受信することができる。
【０１１８】
本開示の具体的な実施形態について説明したが、本開示は上記第１，第２実施形態およびその変形例に限定されるものではなく、本開示の範囲内で種々変更して実施することができる。例えば、上記第１，第２実施形態のそれぞれにおいて変形例同士を組み合わせたものを、本開示の一実施形態としてもよい。あるいは、上記第１実施形態の内容と第２実施形態の内容とを組み合わせたものを、本開示の一実施形態としてもよい。
【符号の説明】
【０１１９】
１  室内機
２  室外機
１１  室内熱交換器
１１ａ  本体熱交換部
１１ａ−１  正面部
１１ａ−２  背面部
１１ｂ  補助熱交換部
１３  電磁弁
１２  室内ファン
２１  圧縮機
２２  四路切換弁
２３  室外熱交換器
２４  膨張弁
２５  アキュムレータ
２６  室外ファン
５１  室内熱交換器温度センサ
５２  室内温度センサ
５３  室内湿度センサ
５４  躯体温度センサ
５６  室外熱交換器温度センサ
５７  外気温度センサ
５８  冷媒温度センサ
１００，２２１  制御装置
２０１  空気調和機
２０２  サーバ
２０３  通信端末
ＲＣ  冷媒回路